(57)【要約】      （修正有）【課題】光ファイバケーブルの高密度収容を可能とする光配線ユニットを提供する【解決手段】光配線ユニットにおいて、ケース１と、第１の方向に延在すると共にケース１内に鉛直方向に立設して設けられ、第１の方向の第１側に引出し可能なパッチパネル部２−ａ〜ｄと、パッチパネル部２−ａ〜ｄの第１の方向と直交する第２の方向の第３側に設けられた第１の光ファイバケーブル差し込み部３−ａ１〜ｄ１と、パッチパネル部２−ａ〜ｄの第３側と逆の第４側に設けられた第２の光ファイバケーブル差し込み部３−ａ２〜ｄ２とを備え、パッチパネル部２−ａ〜ｄがケース１内に収納された状態におけるパッチパネル部２−ａ〜ｄと第１の光ファイバケーブル差し込み部３−ａ１〜ｄ１と第２の光ファイバケーブル差し込み部３−ａ２〜ｄ２の上方に、光ファイバケーブルの余長収容手段４−ａ〜ｄを設ける。【選択図】図１
2015215386.tif 000002
【特許請求の範囲】
【請求項１】
ケースと、
第１の方向に延在すると共に前記ケース内に鉛直方向に立設して設けられ、第１の方向の第１側に引出し可能なパッチパネル部と、
前記パッチパネル部の第１の方向と直交する第２の方向の第３側に設けられた第１の光ファイバケーブル差し込み部と、
前記パッチパネル部の第３側と逆の第４側に設けられた第２の光ファイバケーブル差し込み部とを備え、
前記パッチパネル部が前記ケース内に収納された状態における前記パッチパネル部と前記第１の光ファイバケーブル差し込み部と前記第２の光ファイバケーブル差し込み部の上方に、光ファイバケーブルの余長収容手段を設けたことを特徴とする光配線ユニット。
【請求項２】
請求項１に記載の光配線ユニットであって、
前記余長収容手段が可撓性のケーブルガイドにより構成され、
前記ケーブルガイドが、前記パッチパネル部が前記ケース内に収納された状態における前記パッチパネル部と前記第１の光ファイバケーブル差し込み部と前記第２の光ファイバケーブル差し込み部の上方で、かつ、第１方向の第１側の部分に設けられ、
前記ケーブルガイドの一端が前記パッチパネル部の第１の方向の第１側の端部に係止され、
前記ケーブルガイドの他端がケースに係止されていることを特徴とする光配線ユニット。
【請求項３】
請求項２に記載の光配線ユニットであって、
前記パッチパネル部を第１の方向の第１側に前記ケースから引出すことにより、前記ケーブルガイドが前記ケース外部に露出することを特徴とする光配線ユニット。
【請求項４】
請求項３に記載の光配線ユニットであって、
前記パッチパネル部を第１の方向の第１側に前記ケースから引出した状態で、前記第１の光ファイバケーブル差し込み部にて前記パッチパネル部に接続した複数の第１の光ファイバケーブルと前記第２の光ファイバケーブル差し込み部にて前記パッチパネル部に接続した複数の第２の光ファイバケーブルとを前記ケーブルガイド内に配線することを特徴とする光配線ユニット。
【請求項５】
請求項４に記載の光配線ユニットであって、
前記パッチパネル部が前記ケース内に収納された状態において、
前記ケーブルガイドは、第１の直線部と、第２の直線部と、前記第１及び第２の直線部を繋ぐ第１の折り返し部とからなり、
前記第１の直線部は前記第１の光ファイバケーブル差し込み部の上方に第１の方向に沿って延在し、
前記第２の直線部は前記第２の光ファイバケーブル差し込み部の上方に第１の方向に沿って延在し、
前記第１の折り返し部は前記パッチパネル部の第１の方向の中央部近傍で前記パッチパネル部の上方を横断し前記第１及び第２の直線部の前記パッチパネル部の第１の方向の中央部側の各端部と連接されていることを特徴とする光配線ユニット。
【請求項６】
請求項１に記載の光配線ユニットであって、
前記パッチパネル部が更に第１の方向の第１側と逆の第２側に引出し可能で、
前記余長収容手段が可撓性の第１のケーブルガイドと第２のケーブルガイドとにより構成され、
前記第１のケーブルガイドが、前記パッチパネル部が前記ケース内に収納された状態における前記パッチパネル部と前記第１の光ファイバケーブル差し込み部と前記第２の光ファイバケーブル差し込み部の上方で、かつ、第１方向の第１側の部分に設けられ、
前記第２のケーブルガイドが、前記パッチパネル部が前記ケース内に収納された状態における前記パッチパネル部と前記第１の光ファイバケーブル差し込み部と前記第２の光ファイバケーブル差し込み部の上方で、かつ、第１方向の第２側の部分に設けられ、
前記第１のケーブルガイドの一端が前記パッチパネル部の第１の方向の第１側の端部に係止され、
前記第１のケーブルガイドの他端が前記ケースに係止され、
前記第２のケーブルガイドの一端が前記パッチパネル部の第１の方向の第２側の端部に係止され、
前記第２のケーブルガイドの他端が前記ケースに係止されていることを特徴とする光配線ユニット。
【請求項７】
請求項６に記載の光配線ユニットであって、
前記パッチパネル部を第１の方向の第１側に前記ケースから引出すことにより、前記第１のケーブルガイドが前記ケース外部に露出し、
前記パッチパネル部を第１の方向の第２側に前記ケースから引出すことにより、前記第２のケーブルガイドが前記ケース外部に露出することを特徴とする光配線ユニット。
【請求項８】
請求項７に記載の光配線ユニットであって、
前記パッチパネル部を第１の方向の第１側に前記ケースから引出した状態で、前記第１及び第２の光ファイバケーブル差し込み部の一方にて前記パッチパネル部に接続した複数の第１の光ファイバケーブルを前記第１のケーブルガイド内に配線し、
前記パッチパネル部を第１の方向の第２側に前記ケースから引出した状態で、前記第１及び第２の光ファイバケーブル差し込み部の他方にて前記パッチパネル部に接続した複数の第２の光ファイバケーブルを前記第２のケーブルガイド内に配線することを特徴とする光配線ユニット。
【請求項９】
請求項８に記載の光配線ユニットであって、
前記パッチパネル部が前記ケース内に収納された状態において、
前記第１のケーブルガイドは、第１の直線部と、第２の直線部と、前記第１及び第２の直線部を繋ぐ第１の折り返し部とからなり、
前記第１の直線部は前記第１の光ファイバケーブル差し込み部の上方に第１の方向に沿って延在し、
前記第２の直線部は前記第２の光ファイバケーブル差し込み部の上方に第１の方向に沿って延在し、
前記第１の折り返し部は前記パッチパネル部の第１の方向の中央部近傍で前記パッチパネル部の上方を横断し前記第１及び第２の直線部の前記パッチパネル部の第１の方向の中央部側の各端部と連接され、
前記第２のケーブルガイドは、第３の直線部と、第４の直線部と、前記第３及び第４の直線部を繋ぐ第２の折り返し部とからなり、
前記第３の直線部は前記第１の光ファイバケーブル差し込み部の上方に第１の方向に沿って延在し、
前記第４の直線部は前記第２の光ファイバケーブル差し込み部の上方に第１の方向に沿って延在し、
前記第２の折り返し部は前記パッチパネル部の第１の方向の中央部近傍で前記パッチパネル部の上方を横断し前記第３及び第４の直線部の前記パッチパネル部の第１の方向の中央部側の各端部と連接されていることを特徴とする光配線ユニット。
【請求項１０】
請求項６〜９の何れかに記載の光配線ユニットであって、
前記パッチパネル部が前記第１及び第２の光ファイバケーブルの先端の光コネクタを差し込む光コネクタアダプタを複数備えており、
前記パッチパネル部に対して前記光コネクタアダプタが傾斜して取り付けられていることを特徴とする光配線ユニット。
【請求項１１】
請求項１０に記載の光配線ユニットであって、
前記光コネクタアダプタと前記パッチパネル部が延在する第１の方向のなす角度を３５°〜５５°の範囲内とすることを特徴とする光配線ユニット。
【請求項１２】
請求項６〜１１の何れかに記載の光配線ユニットであって、
前記パッチパネル部の前記ケース内への収容時にロックがかかり、前記ロックは第１側及び第２側の何れからも解除可能であることを特徴とする光配線ユニット。
【発明の詳細な説明】
【技術分野】
【０００１】
本発明は光配線ユニットに関し、特に、省スペースで多数の光ファイバを収容可能とする光配線ユニットに関する。
【背景技術】
【０００２】
通信局舎内に設けられる光伝送装置は光信号処理ユニットと光配線ユニットを備えている。光伝送装置が送受信する光信号群は、光伝送装置外部と光配線ユニットの間を多数の外線(第２の)光ファイバケーブルにより、また、光配線ユニットと光信号処理ユニットの間を多数の内線(第１の)光ファイバケーブルにより、夫々伝送されている。光配線ユニットには多数の光コネクタアダプタが設けられ、多数の外線(第２の)光ファイバケーブルの夫々が光コネクタアダプタを介して対応付けられた内線(第１の)光ファイバケーブルと接続されている。多数の内線(第１の)光ファイバケーブルの夫々は対応付けられた光信号処理ユニットの光端子に接続されている。
【０００３】
従来の光配線ユニットの正面斜視図を図２５に示す。従来の光配線ユニット７０においては、光伝送装置の金属製の架に取り付けるためのブラケット７０１に、板状のパッチパネル(光配線盤)７０２が鉛直方向に立設し保持されている。パッチパネル７０２には複数の光コネクタアダプタ４０が取り付けられている。具体的には、鉛直方向及び水平方向に所定の間隔をもって、パッチパネル７０２に矩形状の光コネクタアダプタ取付孔７０３が複数形成され、各光コネクタアダプタ取付孔７０３に光コネクタアダプタ４０が鉛直方向及び水平方向に並んで嵌め込まれて取り付けられている。
【０００４】
ブラケット７０１には取付ねじが挿入される固定用孔７０４が形成されており、固定用孔７０４に挿入した取付ねじを光伝送装置の架に設けたねじ穴に螺合させることにより、光配線ユニット７０が光伝送装置の架に固定される。
【０００５】
この状態で、光コネクタアダプタの両側から光ファイバケーブルが接続される。具体的には、通信局舎の幹線側の外線(第２の)光ファイバケーブル６０が、光コネクタアダプタ４０の裏面側(図面右上側)の取付口に接続され、光通信処理ユニット側の内線(第１の)光ファイバケーブル５０が、光コネクタアダプタ４０の前面側(図面左下側)の取付口に接続される。
【０００６】
近年の光通信量の増加により、通信局舎における１台の光伝送装置にて、より多くの外線(第２の)光ファイバケーブルを収容し、より多くの光信号処理を担うことが望まれている。これを実現する為には、光伝送装置において光信号処理ユニットの実装領域を増加させつつ光配線ユニットの実装領域を抑制する必要があり、それに伴い上記従来よりも多数の光コネクタアダプタを搭載し、限られたスペースでより多くの外線(第２の)及び内線(第１の)光ファイバケーブルを高密度に収容できる光配線ユニットが求められている。
【０００７】
特許文献１（特表２０１２−５２５６０９号公報）や特許文献２（特開２０００−２３２２７３号公報）には、光配線ユニットへの光ファイバケーブル収容の高密度化に資する一アイディアが開示されている。その共通した特徴は、パッチパネル(光配線盤)を光配線ユニットの奥行き方向に立設して配置すると共に前面側に引出し可能な構成としている点にある。特許文献１では、更に、光配線ユニット内に奥行き方向に立設したパッチパネル(光配線盤)を横方向に複数並べて設けている。これらの特徴構成により、図２５に示した横方向にパッチパネル(光配線盤)を立設して配置した従来の光配線ユニットに比べて、光配線ユニットの奥行き方向に光コネクタアダプタを並べて配置でき、光配線ユニットの奥行き方向の空間を有効活用した光ファイバケーブルの高密度収容が図られている。
【先行技術文献】
【特許文献】
【０００８】
【特許文献１】特表２０１２−５２５６０９号公報
【特許文献２】特開２０００−２３２２７３号公報
【発明の概要】
【発明が解決しようとする課題】
【０００９】
特許文献１，２では、パッチパネル(光配線盤)に取り付けられた光コネクタアダプタへの光ファイバケーブルの抜き差しを可能とするために、パッチパネル(光配線盤)が前面に引出し可能な機構を採用している。このような機構においては、パッチパネル(光配線盤)の引出しに必要な光ファイバケーブルの余長を収容する余長収容手段が必要となる。
【００１０】
特許文献１に記載の手段では、１つのパッチパネル(光配線盤)に対し、横方向の両サイドに保持部材を備えた光ファイバガイドパネルを並行に２つ実装し、パッチパネル(光配線盤)の引出しに必要な余長分の遊びを持たせて保持部材に光ファイバケーブルを巻きつける様にしている。また、引用文献２に記載の手段では、パッチパネル(光配線盤)の引出しに必要な余長分を収められるケーブルガイドを２つ設け、パッチパネル(光配線盤)がケースに収納された状態でパッチパネル(光配線盤)の横方向の両サイドにケーブルガイドが収められるようにしている。
【００１１】
このように、特許文献１，２の何れにおいても、パッチパネル(光配線盤)収納時の横方向の両サイドに余長収容手段を夫々配する構成としている為、光配線ユニット内にパッチパネル(光配線盤)を横方向に複数並べて設ける際に光配線ユニットの所定幅内に設置できるパッチパネル(光配線盤)の数が少なくなってしまい、光配線ユニットへの光ファイバケーブルの更なる高密度収容が出来ていなかった。
【００１２】
また、特許文献２では、パッチパネル(光配線盤)を引出した状態でケーブルガイドがケース内に留まったものとなっている為、このままでのケーブルガイドへの光ファイバケーブルの配線作業は困難を極める。この問題を解決するため、特許文献２においては、引出しトレイの奥に取り付けられたケーブルガイドの一端を着脱自在な構造とし、その一端を取外してケーブルガイドをケースから引出せば配線作業が容易となる旨述べられているが、ケーブルガイドの着脱，引出し⇒収納といった余分な工数が増えてしまい、逆に光ファイバケーブルの配線作業効率を低下させたものとなっていた。
【００１３】
さらに、特許文献２では、ケーブルガイドの引出しに必要な光ファイバケーブルの余長を収容する必要が生じてしまい、この為の手段として２つの余長ホルダーをパッチパネル(光配線盤)の横方向の両サイドに増設せざるを得ないものとなってしまっていて、光配線ユニットへの光ファイバケーブルの高密度収容の阻害要因となっていた。また、製造コスト上昇にも繋がっていた。
【００１４】
本発明の目的は、光ファイバケーブルの高密度収容を可能とする光配線ユニットを提供することにある。
【課題を解決するための手段】
【００１５】
本願の代表的な一側面における本発明は、光配線ユニットにおいて、ケースと、第１の方向に延在すると共にケース内に鉛直方向に立設して設けられ、第１の方向の第１側に引出し可能なパッチパネル部と、パッチパネル部の第１の方向と直交する第２の方向の第３側に設けられた第１の光ファイバケーブル差し込み部と、パッチパネル部の第３側と逆の第４側に設けられた第２の光ファイバケーブル差し込み部とを備え、パッチパネル部がケース内に収納された状態におけるパッチパネル部と第１の光ファイバケーブル差し込み部と第２の光ファイバケーブル差し込み部の上方に、光ファイバケーブルの余長収容手段を設けたことを特徴とする。
【００１６】
本願の他の側面における本発明は、余長収容手段が可撓性のケーブルガイドにより構成され、ケーブルガイドが、パッチパネル部がケース内に収納された状態におけるパッチパネル部と第１の光ファイバケーブル差し込み部と第２の光ファイバケーブル差し込み部の上方で、かつ、第１方向の第１側の部分に設けられ、ケーブルガイドの一端がパッチパネル部の第１の方向の第１側の端部に係止され、ケーブルガイドの他端がケースに係止されていることを特徴とする。
【００１７】
本願の更なる他の側面における本発明は、パッチパネル部を第１の方向の第１側にケースから引出すことにより、ケーブルガイドがケース外部に露出することを特徴とする。
【００１８】
本願の更なる他の側面における本発明は、パッチパネル部を第１の方向の第１側にケースから引出した状態で、第１の光ファイバケーブル差し込み部にてパッチパネル部に接続した複数の第１の光ファイバケーブルと第２の光ファイバケーブル差し込み部にてパッチパネル部に接続した複数の第２の光ファイバケーブルとをケーブルガイド内に配線することを特徴とする。
【００１９】
本願の更なる他の側面における本発明は、パッチパネル部がケース内に収納された状態において、ケーブルガイドは、第１の直線部と、第２の直線部と、第１及び第２の直線部を繋ぐ第１の折り返し部とからなり、第１の直線部は第１の光ファイバケーブル差し込み部の上方に第１の方向に沿って延在し、第２の直線部は第２の光ファイバケーブル差し込み部の上方に第１の方向に沿って延在し、第１の折り返し部はパッチパネル部の第１の方向の中央部近傍でパッチパネル部の上方を横断し第１及び第２の直線部のパッチパネル部の第１の方向の中央部側の各端部と連接されていることを特徴とする。
【００２０】
本願の更なる他の側面における本発明は、パッチパネル部が更に第１の方向の第１側と逆の第２側に引出し可能で、余長収容手段が可撓性の第１のケーブルガイドと第２のケーブルガイドとにより構成され、第１のケーブルガイドが、パッチパネル部がケース内に収納された状態におけるパッチパネル部と第１の光ファイバケーブル差し込み部と第２の光ファイバケーブル差し込み部の上方で、かつ、第１方向の第１側の部分に設けられ、第２のケーブルガイドが、パッチパネル部がケース内に収納された状態におけるパッチパネル部と第１の光ファイバケーブル差し込み部と第２の光ファイバケーブル差し込み部の上方で、かつ、第１方向の第２側の部分に設けられ、第１のケーブルガイドの一端がパッチパネル部の第１の方向の第１側の端部に係止され、第１のケーブルガイドの他端がケースに係止され、第２のケーブルガイドの一端がパッチパネル部の第１の方向の第２側の端部に係止され、第２のケーブルガイドの他端がケースに係止されていることを特徴とする。
【００２１】
本願の更なる他の側面における本発明は、パッチパネル部を第１の方向の第１側にケースから引出すことにより、第１のケーブルガイドがケース外部に露出し、パッチパネル部を第１の方向の第２側にケースから引出すことにより、第２のケーブルガイドがケース外部に露出することを特徴とする。
【００２２】
本願の更なる他の側面における本発明は、パッチパネル部を第１の方向の第１側にケースから引出した状態で、第１及び第２の光ファイバケーブル差し込み部の一方にてパッチパネル部に接続した複数の第１の光ファイバケーブルを第１のケーブルガイド内に配線し、パッチパネル部を第１の方向の第２側にケースから引出した状態で、第１及び第２の光ファイバケーブル差し込み部の他方にてパッチパネル部に接続した複数の第２の光ファイバケーブルを第２のケーブルガイド内に配線することを特徴とする。
【００２３】
本願の更なる他の側面における本発明は、パッチパネル部がケース内に収納された状態において、第１のケーブルガイドは、第１の直線部と、第２の直線部と、第１及び第２の直線部を繋ぐ第１の折り返し部とからなり、第１の直線部は第１の光ファイバケーブル差し込み部の上方に第１の方向に沿って延在し、第２の直線部は第２の光ファイバケーブル差し込み部の上方に第１の方向に沿って延在し、第１の折り返し部はパッチパネル部の第１の方向の中央部近傍でパッチパネル部の上方を横断し第１及び第２の直線部のパッチパネル部の第１の方向の中央部側の各端部と連接され、第２のケーブルガイドは、第３の直線部と、第４の直線部と、第３及び第４の直線部を繋ぐ第２の折り返し部とからなり、第３の直線部は第１の光ファイバケーブル差し込み部の上方に第１の方向に沿って延在し、第４の直線部は第２の光ファイバケーブル差し込み部の上方に第１の方向に沿って延在し、第２の折り返し部はパッチパネル部の第１の方向の中央部近傍でパッチパネルの上方を横断し第３及び第４の直線部のパッチパネル部の第１の方向の中央部側の各端部と連接されていることを特徴とする。
【００２４】
本願の更なる他の側面における本発明は、パッチパネル部が第１及び第２の光ファイバケーブルの先端の光コネクタを差し込む光コネクタアダプタを複数備えており、パッチパネル部に対して光コネクタアダプタが傾斜して取り付けられていることを特徴とする。
【００２５】
本願の更なる他の側面における本発明は、光コネクタアダプタとパッチパネル部が延在する第１の方向のなす角度を３５°〜５５°の範囲内とすることを特徴とする。
【００２６】
本願の更なる他の側面における本発明は、パッチパネル部のケース内への収容時にロックがかかり、このロックは第１側及び第２側の何れからも解除可能であることを特徴とする。
【発明の効果】
【００２７】
本発明によれば、引出し可能なパッチパネル部及びその両サイドの光ファイバケーブル差し込み部の上方に光ファイバケーブルの余長収容手段を設けることにより、光ファイバケーブルの高密度収容を可能とした光配線ユニットを実現できる。
【図面の簡単な説明】
【００２８】
【図１】光配線ユニットの実施例１の斜視図である。
【図２Ａ】光配線ユニットの実施例２の斜視図である。
【図２Ｂ】光配線ユニットの実施例２の上面図である。
【図３Ａ】光配線ユニットの実施例３の斜視図である。
【図３Ｂ】光配線ユニットの実施例３の上面図である。
【図３Ｃ】光配線ユニットの実施例３の上面図である。
【図３Ｄ】光配線ユニットの実施例４の上面図である。
【図４Ａ】光配線ユニットの実施例５の斜視図である。
【図４Ｂ】光配線ユニットの実施例５の上面図である。
【図４Ｃ】光配線ユニットの実施例６の上面図である。
【図４Ｄ】光配線ユニットの実施例７の上面図である。
【図４Ｅ】光配線ユニットの実施例８の上面図である。
【図５】光伝送装置の全体構成図である。
【図６Ａ】光配線ユニットの正面斜視図である。
【図６Ｂ】光配線ユニットの背面斜視図である。
【図７】光配線ユニットの分解斜視図である。
【図８】可動式パッチパネル１３の正面斜視図である。
【図９】可動式パッチパネル１３の背面斜視の一部拡大図である。
【図１０】ケース下部１１１に対するスライドレール１２と可動式パッチパネル１３の取り付け詳細図である。
【図１１Ａ】ケース下部１１１及び可動式パッチパネル１３に対する前面用(第１の)ケーブルガイド１５の取り付け詳細図である。
【図１１Ｂ】可動式パッチパネル１３を前面側(第１側)に引出した状態図である。
【図１２Ａ】ケース下部１１１及び可動式パッチパネル１３に対する背面用(第２の)ケーブルガイド１６の取り付け詳細図である。
【図１２Ｂ】可動式パッチパネル１３を背面側(第２側)に引出した状態図である。
【図１３】光コネクタアダプタ４０に対する内線(第１の)光ファイバケーブル５０の接続作業詳細図である。
【図１４】光コネクタアダプタ４０に対する外線(第２の)光ファイバケーブル６０の接続作業詳細図である。
【図１５Ａ】光配線ユニットの正面斜視図である。
【図１５Ｂ】図１５ＡのＢ部の詳細図である。
【図１６】光コネクタアダプタ４０と可動式パッチパネル１３を直行して配置した例の図である。
【図１７Ａ】内線(第１の)光ファイバケーブル５０の配線ルートを示す説明図である。
【図１７Ｂ】ガイド部１５３及びロック部１５４の拡大図である。
【図１７Ｃ】ガイド部１５３及びロック部１５４の拡大図でロック部１５４を解放した状態図である。
【図１８】外線(第２の)光ファイバケーブル６０の配線ルートを示す説明図である。
【図１９Ａ】光伝送装置の正面図である。
【図１９Ｂ】架２０から各可動式パッチパネルまでの配線ルート例１の図である。
【図１９Ｃ】架２０から各可動式パッチパネルまでの配線ルート例２の図である。
【図１９Ｄ】架２０から各可動式パッチパネルまでの配線ルート例３の図である。
【図１９Ｅ】架２０から各可動式パッチパネルまでの配線ルート例４の図である。
【図２０Ａ】前面用配線トレイ２１を引出した状態を示す図である。
【図２０Ｂ】前面用配線トレイ２１を収容した状態を示す図である。
【図２１Ａ】光配線ユニット１０の正面図である。
【図２１Ｂ】図２１ＡのＣ−Ｃ断面図である。
【図２１Ｃ】図２１ＢのＤ部詳細図で可動式パッチパネルのロックがかかった状態図である。
【図２１Ｄ】図２１ＣのＤ部詳細図で可動式パッチパネルのロックを解除した状態図である。
【図２１Ｅ】図２１ＤのＤ部詳細図で可動式パッチパネルを引出した状態図である。
【図２２】番地表示を示す可動式パッチパネルの正面側の一部拡大斜視図である。
【図２３】光配線ユニットの一部正面斜視図である。
【図２４Ａ】ファイバカバー１４固定前の状態図である。
【図２４Ｂ】ガイド付き開口１８部の詳細図である。
【図２５】従来の光配線ユニットの正面斜視図である。
【発明を実施するための形態】
【実施例１】
【００２９】
図１は、本発明の光配線ユニットの実施例１の斜視図である。本実施例では、４つの可動式パッチパネル部２−ａ〜ｄが光配線ユニット１のケース１内に設けられた例を示す。
【００３０】
各可動式パッチパネル部２−ａ〜ｄは、奥行方向(第１方向)，鉛直方向にマトリクス状に配列して設けられた複数の光コネクタアダプタが設けられており、ケース１内で奥行方向(第１方向)に延在するように立設して設けられている。また、この可動式パッチパネル部２−ａ〜ｄは奥行方向(第１方向)に引出し可能となるようにケース１に取り付けられている。
【００３１】
可動式パッチパネル部２−ａ〜ｄの右側(第３側)及び左側(第４側)には、複数の光コネクタアダプタに複数の光ファイバケーブルのコネクタを差し込むと共に複数の光ファイバケーブルをケース１外に引出すための第１の光ファイバケーブル差し込み部３−ａ１〜ｄ１及び第２の光ファイバケーブル差し込み部３−ａ２〜ｄ２が夫々設けられている。
【００３２】
本実施例は、可動式パッチパネル部２−ａ〜ｄの引出しに必要な光ファイバケーブルの余長を収容するための余長収容手段４−ａ〜ｄが、可動式パッチパネル部２−ａ〜ｄ及びその両側の第１，第２の光ファイバケーブル差し込み部３−ａ１〜ｄ１，３−ａ２〜ｄ２の上方に設けられている。また、この余長収容手段４−ａ〜ｄは、対応する可動式パッチパネル部２−ａ〜ｄと共動してケース１外に引出されるように、可動式パッチパネル部２−ａ〜ｄに固定されている。
【００３３】
本実施例では、従来技術において可動式パッチパネル部２−ａ〜ｄの両側の各光ファイバケーブル差し込み部３−ａ１〜ｄ１，３−ａ２〜ｄ２の更に外側に夫々に設けていた余長収容手段を、可動式パッチパネル部２−ａ〜ｄ及びその両側の各光ファイバケーブル差し込み部３−ａ１〜ｄ１，３−ａ２〜ｄ２の上方に集約して設けることにより、１つの可動式パッチパネル部２に対する収容スペースを従来より小さなものとすることができ、光配線ユニット１全体での光ファイバケーブルの収容密度が従来技術よりも高密度化されている。また、本発明による余長収容手段４−ａ〜ｄは、可動式パッチパネル部２−ａ〜ｄと共動してケース１外に引出され、その上面が露出するので、余長収容手段４−ａ〜ｄへの光ファイバケーブルの配線作業が容易に行うことができる。
【実施例２】
【００３４】
図２Ａは本発明の光配線ユニットの実施例２の斜視図、図２Ｂは光配線ユニットの実施例２の上面図である。本実施例では、可動式パッチパネル部２−ａ〜ｄをケース１の前面側(第１側)に引出し可能とし、余長処理手段として水平面内での屈曲が可能な可撓性のケーブルガイド４−ａ〜ｄを用いた例を示す。
【００３５】
可動式パッチパネル部２−ａ〜ｄが全てケース１内に収納された状態の図２Ａに示すように、本実施例では、ケーブルガイド４−ａ〜ｄが、可動式パッチパネル部２−ａ〜ｄ及びその両側の第１，第２の光ファイバケーブル差し込み部３−ａ１〜ｄ１，３−ａ２〜ｄ２の上方であって、可動式パッチパネル部２−ａ〜ｄの奥行方向(第１方向)の中心部よりも前面側(第１側)に設けられている。また、ケーブルガイド４−ａ〜ｄは、第１の直線部と第２の直線部と第１及び第２の直線部を繋ぐ第１の折り返し部とからなり、第１の直線部は第１の光ファイバケーブル差し込み部３−ａ１〜ｄ１の上方に奥行方向(第１方向)に沿って延在し、第２の直線部は第２の光ファイバケーブル差し込み部３−ａ２〜ｄ２の上方に奥行方向(第１方向)に沿って延在し、第１の折り返し部は可動式パッチパネル部２−ａ〜ｄの奥行方向(第１方向)の中央部近傍で可動式パッチパネル２−ａ〜ｄの上方を横断し第１及び第２の直線部の可動式パッチパネル部２−ａ〜ｄの奥行方向(第１方向)の中央部側の各端部と連接されている。
【００３６】
図２Ｂには、一番右側(第３側)の１つの可動式パッチパネル部２−ａがケース１から前面側(第１側)に引出され、残りの３つの可動式パッチパネル部２−ｂ〜ｄがケース１内に収納された状態を示している。また、図２Ｂにおいて、２つの白丸○とそれらを繋ぐ太線はケーブルガイド４−ａ〜ｄの可動式パッチパネル部２−ａ〜ｄに対する係止を、２つの黒丸●とそれらを繋ぐ太線はケーブルガイド４−ａ〜ｄのケース１に対する係止を、夫々示している。
【００３７】
可動式パッチパネル部２−ａ〜ｄがケース１内に収納された状態では、ケーブルガイド４−ａ〜ｄの第１直線部(第１の光ファイバケーブル差し込み部３−ａ１〜ｄ１の上方に延在する直線部)の前面側(第１側)の端部は可動式パッチパネル部２−ａ〜ｄの前面側(第１側)の端部に、ケーブルガイド４−ａ〜ｄの第２直線部(第２の光ファイバケーブル差し込み部３−ａ２〜ｄ２の上方に延在する直線部)の前面側(第１側)の端部はケース１に、夫々係止されている。
【００３８】
可動式パッチパネル部２−ａを引出してくると、可動式パッチパネル部２−ａの前面側(第１側)の端部に係止されているケーブルガイド４−ａの第１直線部の端部も共動して引出され、それに伴い奥行方向(第１方向)の長さが、ケーブルガイド４−ａの第１直線部は徐々に長く逆に第２直線部は徐々に短くなっていき、図２Ｂに示すようにケーブルガイド４−ａがケース１外に露出した状態となる。この状態で、第１の光ファイバケーブル差し込み部３−ａ１及び第２の光ファイバケーブル差し込み部３−ａ２において、内線(第１の)光ファイバケーブルＡ及び外線(第２の)光ファイバケーブルＢの先の各光コネクタを夫々光コネクタアダプタ５に差し込み、各光ファイバケーブルＡ，Ｂを前面側(第１側)に引出す。引出された各光ファイバケーブルＡ，Ｂは可動式パッチパネル部２−ａの前面側(第１側)の端部に係止されている端部から入れてケース１に係止されている端部から抜く(引出されているケーブルガイド４−ａの前面側(第１側)から入れて背面側(第２側)から抜く)ように、ケーブルガイド４−ａに配線する。
【００３９】
本実施例では、実施例１と同様に、光ファイバケーブルの高密度収容が可能となり、配線作業も容易に行うことができる。また、本実施例では、内線(第１の)光ファイバケーブルＡと外線(第２の)光ファイバケーブルＢの何れもが前面側(第１側)から配線することができる。
【実施例３】
【００４０】
図３Ａは本発明の光配線ユニットの実施例３の斜視図、図３Ｂ及び図３Ｃは光配線ユニットの実施例３の上面図である。本実施例では、可動式パッチパネル部２−ａ〜ｄをケース１の前面側(第１側)のみならず背面側(第２側)にも引出し可能とし、余長処理手段として各可動式パッチパネル部２−ａ〜ｄに対して２つの可撓性のケーブルガイド４−ａ１〜ｄ１，４−ａ２〜ｄ２を用いた例を示す。
【００４１】
可動式パッチパネル部２−ａ〜ｄが全てケース１内に収納された状態の図３Ａに示すように、本実施例では、第１のケーブルガイド４−ａ１〜ｄ１が、可動式パッチパネル部２−ａ〜ｄ及びその両側の第１，第２の光ファイバケーブル差し込み部３−ａ１〜ｄ１，３−ａ２〜ｄ２の上方であって、可動式パッチパネル部２−ａ〜ｄの奥行方向(第１方向)の中心部よりも前面側(第１側)に設けられ、第２のケーブルガイド４−ａ２〜ｄ２が、可動式パッチパネル部２−ａ〜ｄ及びその両側の第１，第２の光ファイバケーブル差し込み部３−ａ１〜ｄ１，３−ａ２〜ｄ２の上方であって、可動式パッチパネル部２−ａ〜ｄの奥行方向(第１方向)の中心部よりも背面側(第２側)に設けられている。また、第１のケーブルガイド４−ａ１〜ｄ１は、第１の直線部と第２の直線部と第１及び第２の直線部を繋ぐ第１の折り返し部とからなり、第１の直線部は第１の光ファイバケーブル差し込み部３−ａ１〜ｄ１の上方に奥行方向(第１方向)に沿って延在し、第２の直線部は第２の光ファイバケーブル差し込み部３−ａ２〜ｄ２の上方に奥行方向(第１方向)に沿って延在し、第１の折り返し部は可動式パッチパネル部２−ａ〜ｄの奥行方向(第１方向)の中央部近傍で可動式パッチパネル２−ａ〜ｄの上方を横断し第１及び第２の直線部の可動式パッチパネル部２−ａ〜ｄの奥行方向(第１方向)の中央部側の各端部と連接されている。さらに、第２のケーブルガイド４−ａ２〜ｄ２は、第３の直線部と第４の直線部と第３及び第４の直線部を繋ぐ第２の折り返し部とからなり、第３の直線部は第１の光ファイバケーブル差し込み部３−ａ１〜ｄ１の上方に奥行方向(第１方向)に沿って延在し、第４の直線部は第２の光ファイバケーブル差し込み部３−ａ２〜ｄ２の上方に奥行方向(第１方向)に沿って延在し、第２の折り返し部は可動式パッチパネル部２−ａ〜ｄの奥行方向(第１方向)の中央部近傍で可動式パッチパネル２−ａ〜ｄの上方を横断し第３及び第４の直線部の可動式パッチパネル部２−ａ〜ｄの奥行方向(第１方向)の中央部側の各端部と連接されている。
【００４２】
図３Ｂ及び図３Ｃには、一番右側(第３側)の可動式パッチパネル部２−ａがケース１から前面側(第１側)に引出され、右側(第３側)から二番目の可動式パッチパネル部２−ｂがケース１から背面側(第２側)に引出され、残りの２つの可動式パッチパネル部２−ｃ，２−ｄがケース１内に収納された状態を示している。
【００４３】
可動式パッチパネル部２−ａ〜ｄがケース１内に収納された状態では、第１のケーブルガイド４−ａ１〜ｄ１の第１直線部(第１の光ファイバケーブル差し込み部３−ａ１〜ｄ１の上方に延在する直線部)の前面側(第１側)の端部は可動式パッチパネル部２−ａ〜ｄの前面側(第１側)の端部に、第１のケーブルガイド４−ａ１〜ｄ１の第２直線部(第２の光ファイバケーブル差し込み部３−ａ２〜ｄ２の上方に延在する直線部)の前面側(第１側)の端部はケース１に、第２のケーブルガイド４−ａ２〜ｄ２の第３直線部(第１の光ファイバケーブル差し込み部３−ａ１〜ｄ１の上方に延在する直線部)の背面側(第２側)の端部はケース１に、第２のケーブルガイド４−ａ２〜ｄ２の第４直線部(第２の光ファイバケーブル差し込み部３−ａ２〜ｄ２の上方に延在する直線部)の背面側(第２側)の端部は可動式パッチパネル部２−ａ〜ｄの背面側(第２側)の端部に、夫々係止されている。
【００４４】
可動式パッチパネル部２−ａを前面側(第１側)に引出してくると、可動式パッチパネル部２−ａの前面側(第１側)の端部に係止されている第１のケーブルガイド４−ａ１の第１直線部の端部も共動して引出され、それに伴い奥行方向(第１方向)の長さが、第１のケーブルガイド４−ａ１の第１直線部は徐々に長く逆に第２直線部は徐々に短くなっていき、図３Ｂ及び図３Ｃに示すように第１のケーブルガイド４−ａ１がケース１外に露出した状態となる。なお、この過程において、可動式パッチパネル部２−ａの背面側(第２側)の端部に係止されている第２のケーブルガイド４−ａ２の第４直線部の端部も共動して前面側(第１側)に移動し、それに伴い奥行方向(第１方向)の長さが、第２のケーブルガイド４−ａ２の第３直線部は徐々に長く逆に第４直線部は徐々に短くなっていく。
【００４５】
図３Ｂに示した配線例では、この状態で第２の光ファイバケーブル差し込み部３−ａ２において、内線(第１の)光ファイバケーブルＡの先の光コネクタを光コネクタアダプタ５に差し込み、内線(第１の)光ファイバケーブルＡを前面側(第１側)に引出す。
【００４６】
図３Ｃに示した配線例では、この状態で第１の光ファイバケーブル差し込み部３−ａ１において、内線(第１の)光ファイバケーブルＡの先の光コネクタを光コネクタアダプタ５に差し込み、内線(第１の)光ファイバケーブルＡを前面側(第１側)に引出す。
【００４７】
引出された内線(第１の)光ファイバケーブルＡは、可動式パッチパネル部２−ａの前面側(第１側)の端部に係止されている端部から入れてケース１に係止されている端部から抜く(引出されている第１のケーブルガイド４−ａ１の前面側(第１側)から入れて背面側(第２側)から抜く)ように、第１のケーブルガイド４−ａ１に配線する。
【００４８】
なお、可動式パッチパネル部２−ａを前面側(第１側)に引出した例を図示しその詳細説明を行っているが、他の可動式パッチパネル部２−ｂ〜ｄを前面側(第１側)に引出した場合でも上述のことは同様である。
【００４９】
一方、可動式パッチパネル部２−ｂを背面側(第２側)に引出してくると、可動式パッチパネル部２−ｂの背面側(第２側)の端部に係止されている第２のケーブルガイド４−ｂ２の第４直線部の端部も共動して引出され、それに伴い奥行方向(第１方向)の長さが、第２のケーブルガイド４−ｂ２の第４直線部は徐々に長く逆に第３直線部は徐々に短くなっていき、図３Ｂ及び図３Ｃに示すように第２のケーブルガイド４−ｂ２がケース１外に露出した状態となる。なお、この過程において、可動式パッチパネル部２−ｂの前面側(第１側)の端部に係止されている第１のケーブルガイド４−ｂ１の第１直線部の端部も共動して背面側(第２側)に移動し、それに伴い奥行方向(第１方向)の長さが、第１のケーブルガイド４−ｂ１の第２直線部は徐々に長く逆に第１直線部は徐々に短くなっていく。
【００５０】
図３Ｂに示した配線例では、この状態で第１の光ファイバケーブル差し込み部３−ｂ１において、外線(第２の)光ファイバケーブルＢの先の光コネクタを光コネクタアダプタ５に差し込み、外線(第２の)光ファイバケーブルＢを背面側(第２側)に引出す。
【００５１】
図３Ｃに示した配線例では、この状態で第２の光ファイバケーブル差し込み部３−ｂ２において、外線(第２の)光ファイバケーブルＢの先の光コネクタを光コネクタアダプタ５に差し込み、外線(第２の)光ファイバケーブルＢを背面側(第２側)に引出す。
【００５２】
引出された外線(第２の)光ファイバケーブルＢは、可動式パッチパネル部２−ｂの背面側(第２側)の端部に係止されている端部から入れてケース１に係止されている端部から抜く(引出されている第２のケーブルガイド４−ｂ２の背面側(第２側)から入れて前面側(第１側)から抜く)ように、第２のケーブルガイド４−ｂ２に配線する。
【００５３】
なお、可動式パッチパネル部２−ｂを背面側(第２側)に引出した例を図示しその詳細説明を行っているが、他の可動式パッチパネル部２−ａ，ｃ，ｄを背面側(第２側)に引出した場合でも上述のことは同様である。
【００５４】
本実施例でも、余長収容手段としての第１及び第２のケーブルガイド４−ａ１〜ｄ１，ａ２〜ｄ２を可動式パッチパネル部２−ａ〜ｄ及びその両側の第１及び第２の光ファイバケーブル差し込み部３−ａ１〜ｄ１，３−ａ２〜ｄ２の上方に集約して設けているので、１つの可動式パッチパネル部２に対する収容スペースを小さなものとすることができ、光配線ユニットでの光ファイバケーブルの収容密度を高密度化することができる。また、本実施例では、可動式パッチパネル部２−ａ〜ｄをケース１の前面側(第１側)のみならず背面側(第２側)にも引出し可能であるため、光伝送装置内の光信号処理ユニットと光配線ユニット１との間の内線(第１の)光ファイバケーブルの配線と光伝送装置外部と光伝送装置内の光配線ユニット１との間の外線(第２の)光ファイバケーブルの配線とを夫々前面側(第１側)と背面側(第２側)とで分けて行うことができる。また、前面側(第１側)での配線作業に必要な第１のケーブルガイド４−ａ〜ｄは可動式パッチパネル部２−ａ〜ｄの前面側(第１側)への引出しと共にケース１外に引出されてその上面が露出し、背面側(第２側)での配線作業に必要な第２のケーブルガイド４−ａ〜ｄは可動式パッチパネル部２−ａ〜ｄの背面側(第２側)への引出しと共にケース１外に引出されてその上面が露出するので、夫々の配線作業を容易に行うことができる。なお、以下で述べる全ての実施例は、ここで述べた各効果を備えたものとなっている。
【実施例４】
【００５５】
図３Ｄは本発明の光配線ユニットの実施例４の上面図である。本実施例は、可動式パッチパネル部２−ａ〜ｄに対する光コネクタアダプタ５の取り付け角度を変えている点が実施例３とは異なる。その他の点は実施例３と同様である。
【００５６】
上述の実施例３では、従来技術と同様に可動式パッチパネル部２−ａ〜ｄに対して光コネクタアダプタ５が直角に取り付けられており、内線(第１の)，外線(第２の)光ファイ−ケーブルＡ，Ｂの各光コネクタを可動式パッチパネル部２−ａ〜ｄに対して垂直に差し込むようになっている。このような構成では、内線(第１の)光ファイバケーブルＡ及び外線(第２の)光ファイバケーブルＢの最低曲げ半径を確保するために必要な第１の光ファイバケーブル差し込み部３−ａ１〜ｄ１及び第２の光ファイバケーブル差し込み部の幅方向(第２方向)の長さが大きくなってしまう。
【００５７】
これに対して、本実施例では、可動式パッチパネル部２−ａ〜ｄに対して奥行方向(第１方向)とのなす角度θ（≠９０°)となるように光コネクタアダプタ５を傾けて取り付けている。これにより、第１の光ファイバケーブル差し込み部３−ａ１〜ｄ１及び第２の光ファイバケーブル差し込み部３−ａ２〜ｄ２の幅方向(第２方向)の長さを小さくすることができる。なお、この角度を小さくしすぎると、光アダプタコネクタ５に内線(第１の)，外線(第２の)光ファイ−ケーブルＡ，Ｂを差し込みにくくなり、また、１つの可動式パッチパネル部２への光コネクタアダプタ５の実装密度を低下させることにも繋がるため、両者のバランスを考慮した奥行方向(第１方向)とのなす角度θとしては、３５°〜５５°の範囲内とすることが好ましい。
【００５８】
また、本実施例では、可動式パッチパネル部２−ａ〜ｄに対して光コネクタアダプタ５を傾けて取り付けることにより、可動式パッチパネル部２−ａ〜ｄを前面側(第１側)或いは背面側(第２側)に引出した状態の各配線作業において、内線(第１の)光ファイバケーブルＡ或いは外線(第２の)光ファイバケーブルＢの各コネクタを右側(第３側)或いは左側(第４側)の何れの光ファイバケーブル差し込み部から光コネクタアダプタ５に差し込むべきかを示すという副次的効果を併せ持っている。可動式パッチパネル部２−ａ〜ｄを前面側(第１側)に引出した状態では、光コネクタアダプタ５の先端が手前側(前面側)に傾いている第２の光ファイバケーブル差し込み部３−ａ２〜ｄ２に対して配線作業し、可動式パッチパネル部２−ａ〜ｄを背面側(第２側)に引出した状態では、光コネクタアダプタ５の先端が手前側(背面側)に傾いている第１の光ファイバケーブル差し込み部３−ａ１〜ｄ１に対して配線作業することが判る。
【００５９】
本実施例では、第１，第２の光ファイバケーブル差し込み部３−ａ１〜ｄ１，３−ａ２〜ｄ２の幅方向(第２方向)の各長さを夫々に小さくすることができるので、１つの可動式パッチパネル部２に対する収容スペースを実施例３よりも更に小さなものとすることができ、光配線ユニットでの光ファイバケーブルの収容密度の更なる高密度化を実現することができる。なお、この効果は、以下で述べる全ての実施例において備わっている。
【００６０】
ここで、上述の実施例３と本実施例４に特有の効果としては、図３Ｂ及び図３Ｄに示されるように、前面側(第１側)及び背面側(第２側)の何れの配線作業においても、ケーブルガイドが覆い被さっていない光ファイバケーブル差し込み部に対して行うことができるので各配線作業がさらに容易である点や、光ファイバケーブル差し込み部から引出した光ファイバケーブルをケーブルガイドに導くルートが前面側(第１側)或いは背面側(第２側)から見て可動式パッチパネル部を跨ぐ状態となっているので光ファイバケーブルの曲げ半径に余裕を持たせることができる点がある。
【実施例５】
【００６１】
図４Ａは本発明の光配線ユニットの実施例５の斜視図、図４Ｂは光配線ユニットの実施例５の上面図である。本実施例においても、可動式パッチパネル部２−ａ〜ｄがケース１の前面側(第１側)及び背面側(第２側)の双方に引出し可能である点、第１のケーブルガイド４−ａ１〜ｄ１及び第２のケーブルガイド４−ａ２〜ｄ２が可動式パッチパネル部２−ａ〜ｄ及びその両側の第１，第２の光ファイバケーブル差し込み部３−ａ１〜ｄ１，３−ａ２〜ｄ２の上方の前面側(第１側)及び背面側(第２側)に設けられている点、可動式パッチパネル部２−ａ〜ｄに対して光コネクタアダプタ５を傾けて取り付けられている点は、上述の実施例４と同じである。また、以下にのべつ全ての実施例において同様である。図４Ｂにおいて、(ａ)には、一番右側(第３側)の可動式パッチパネル部２−ａがケース１から前面側(第１側)に引出され、右側(第３側)から二番目の可動式パッチパネル部２−ｂがケース１から背面側(第２側)に引出され、残りの２つの可動式パッチパネル部２−ｃ，２−ｄがケース１内に収納された状態を示し、(ｂ)には、一番右側(第３側)の可動式パッチパネル部２−ａがケース１から背面側(第２側)に引出され、右側(第３側)から二番目の可動式パッチパネル部２−ｂがケース１から前面側(第１側)に引出された状態を示している。
【００６２】
本実施例では、第１及び第２のケーブルガイド４−ａ１〜ｄ１，４−ａ２〜ｄ２のケース１と係止した各端部(黒丸●が付された各端部)を幅方向(第２方向)の一方の側に揃え、第１及び第２のケーブルガイド４−ａ１〜ｄ１，４−ａ２〜ｄ２の可動式パッチパネル部２−ａ〜ｄと係止した各端部(白丸○が付された各端部)を幅方向の他方の側に揃えている点が上述の実施例３や実施例４と異なる。以下に述べる全ての実施例においてこの点は同様である。上述の実施例３や実施例４では、可動式パッチパネル部２−ａ〜ｄと係止した第１のケーブルガイド４−ａ１〜ｄ１の端部(白丸○が付された端部)と第２のケーブルガイド４−ａ２〜ｄ２の端部(白丸○が付された端部)とを幅方向(第２方向)の夫々逆側とし、ケース１と係止した第１のケーブルガイド４−ａ１〜ｄ１の端部(黒丸●が付された端部)と第２のケーブルガイド４−ａ２〜ｄ２の端部(黒丸●が付された端部)とを幅方向(第２方向)の夫々逆側としている。
【００６３】
本実施例では、右側(第１側)から１番目及び３番目の可動式パッチパネル部２−ａ，２−ｃと第１のケーブルガイド４−ａ１，４−ｃ１と第２のケーブルガイド４−ａ２，４−ｃ２からなる第１の組みと、右側(第１側)から２番目及び４番目の可動式パッチパネル部２−ｂ，２−ｄと第１のケーブルガイド４−ｂ１，４−ｄ１と第２のケーブルガイド４−ｂ２，４−ｄ２からなる第２の組みとで、光コネクタアダプタ５を傾ける方向が逆(第１の組みを１８０°回転させて可動式パッチパネル部とケーブルガイドとの係止である白丸○が一致するように第２の組みに重ねた合わせた場合に光コネクタアダプタの傾斜方向が逆)となっている。
【００６４】
上記第１の組みにおいて、可動式パッチパネル部２−ａ，２−ｃがケース１内に収納された状態では、第１のケーブルガイド４−ａ１，４−ｃ１の第１直線部(第１の光ファイバケーブル差し込み部３−ａ１，３−ｃ１の上方に延在する直線部)の前面側(第１側)の端部はケース１に、第１のケーブルガイド４−ａ１，４−ｃ１の第２直線部(第２の光ファイバケーブル差し込み部３−ａ２，３−ｃ２の上方に延在する直線部)の前面側(第１側)の端部は可動式パッチパネル部２−ａ，２−ｃの前面側(第１側)の端部に、第２のケーブルガイド４−ａ２，４−ｃ２の第３直線部(第１の光ファイバケーブル差し込み部３−ａ１，３−ｃ１の上方に延在する直線部)の背面側(第２側)の端部はケース１に、第２のケーブルガイド４−ａ２，４−ｃ２の第４直線部(第２の光ファイバケーブル差し込み部３−ａ２，３−ｃ２の上方に延在する直線部)の背面側(第２側)の端部は可動式パッチパネル部２−ａ，２−ｃの背面側(第２側)の端部に、夫々係止されている。
【００６５】
一方、上記第２の組みにおいて、可動式パッチパネル部２−ｂ，２−ｄがケース１内に収納された状態では、第１のケーブルガイド４−ｂ１，４−ｄ１の第１直線部(第１の光ファイバケーブル差し込み部３−ｂ１，３−ｄ１の上方に延在する直線部)の前面側(第１側)の端部は可動式パッチパネル部２−ｂ，２−ｄの前面側(第１側)の端部に、第１のケーブルガイド４−ｂ１，４−ｄ１の第２直線部(第２の光ファイバケーブル差し込み部３−ｂ２，３−ｄ２の上方に延在する直線部)の前面側(第１側)の端部はケース１に、第２のケーブルガイド４−ｂ２，４−ｄ２の第３直線部(第１の光ファイバケーブル差し込み部３−ｂ１，３−ｄ１の上方に延在する直線部)の背面側(第２側)の端部は可動式パッチパネル部２−ｂ，２−ｄの背面側(第２側)の端部に、第２のケーブルガイド４−ｂ２，４−ｄ２の第４直線部(第２の光ファイバケーブル差し込み部３−ｂ２，３−ｄ２の上方に延在する直線部)の背面側(第２側)の端部はケース１に、夫々係止されている。
【００６６】
可動式パッチパネル部２−ａを前面側(第１側)に引出してくると、可動式パッチパネル部２−ａの前面側(第１側)の端部に係止されている第１のケーブルガイド４−ａ１の第２直線部の端部も共動して引出され、それに伴い奥行方向(第１方向)の長さが、第１のケーブルガイド４−ａ１の第２直線部は徐々に長く逆に第１直線部は徐々に短くなっていき、図４Ｂの(ａ)に示すように第１のケーブルガイド４−ａ１がケース１外に露出した状態となる。なお、この過程において、可動式パッチパネル部２−ａの背面側(第２側)の端部に係止されている第２のケーブルガイド４−ａ２の第４直線部の端部も共動して前面側(第１側)に移動し、それに伴い奥行方向(第１方向)の長さが、第２のケーブルガイド４−ａ２の第３直線部は徐々に長く逆に第４直線部は徐々に短くなっていく。
【００６７】
一方、可動式パッチパネル部２−ａを背面側(第２側)に引出してくると、可動式パッチパネル部２−ａの背面側(第２側)の端部に係止されている第２のケーブルガイド４−ａ２の第４直線部の端部も共動して引出され、それに伴い奥行方向(第１方向)の長さが、第２のケーブルガイド４−ａ２の第４直線部は徐々に長く逆に第３直線部は徐々に短くなっていき、図４Ｂの(ｂ)に示すように第２のケーブルガイド４−ａ２がケース１外に露出した状態となる。なお、この過程において、可動式パッチパネル部２−ａの前面側(第１側)の端部に係止されている第１のケーブルガイド４−ａ１の第２直線部の端部も共動して背面側(第２側)に移動し、それに伴い奥行方向(第１方向)の長さが、第１のケーブルガイド４−ａ１の第１直線部は徐々に長く逆に第２直線部は徐々に短くなっていく。
【００６８】
なお、可動式パッチパネル部２−ａを前面側(第１側)或いは背面側(第２側)に引出した例を図示しその詳細説明を行っているが、可動式パッチパネル部２−ｃを前面側(第１側) 或いは背面側(第２側)に引出した場合でも上述のことは同様である。
【００６９】
また、可動式パッチパネル部２−ｂを前面側(第１側)に引出してくると、可動式パッチパネル部２−ｂの前面側(第１側)の端部に係止されている第１のケーブルガイド４−ｂ１の第１直線部の端部も共動して引出され、それに伴い奥行方向(第１方向)の長さが、第１のケーブルガイド４−ｂ１の第１直線部は徐々に長く逆に第２直線部は徐々に短くなっていき、図４Ｂの(ｂ)に示すように第１のケーブルガイド４−ｂ１がケース１外に露出した状態となる。なお、この過程において、可動式パッチパネル部２−ｂの背面側(第２側)の端部に係止されている第２のケーブルガイド４−ｂ２の第３直線部の端部も共動して前面側(第１側)に移動し、それに伴い奥行方向(第１方向)の長さが、第２のケーブルガイド４−ｂ２の第４直線部は徐々に長く逆に第３直線部は徐々に短くなっていく。
【００７０】
一方、可動式パッチパネル部２−ｂを背面側(第２側)に引出してくると、可動式パッチパネル部２−ｂの背面側(第２側)の端部に係止されている第２のケーブルガイド４−ｂ２の第３直線部の端部も共動して引出され、それに伴い奥行方向(第１方向)の長さが、第２のケーブルガイド４−ｂ２の第３直線部は徐々に長く逆に第４直線部は徐々に短くなっていき、図４Ｂの(ａ)に示すように第２のケーブルガイド４−ｂ２がケース１外に露出した状態となる。なお、この過程において、可動式パッチパネル部２−ｂの前面側(第１側)の端部に係止されている第１のケーブルガイド４−ｂ１の第１直線部の端部も共動して背面側(第２側)に移動し、それに伴い奥行方向(第１方向)の長さが、第１のケーブルガイド４−ｂ１の第２直線部は徐々に長く逆に第１直線部は徐々に短くなっていく。
【００７１】
なお、可動式パッチパネル部２−ｂを前面側(第１側)或いは背面側(第２側)に引出した例を図示しその詳細説明を行っているが、可動式パッチパネル部２−ｄを前面側(第１側) 或いは背面側(第２側)に引出した場合でも上述のことは同様である。
【００７２】
本実施例において、前面側(第１側)或いは背面側(第２側)に可動式パッチパネル部２を引出した状態での内線(第１の)光ファイバケーブルＡ或いは外線(第２の)光ファイバケーブルＢの配線作業は、光コネクタアダプタ５の先端が引出した側に傾いている光ファイバケーブル差し込み部３において、各光ファイバーケーブルＡ，Ｂの光コネクタの光コネクタアダプタ５への差し込みと手前側への各光ファイバーケーブルＡ，Ｂの引出しを行い、引出した各光ファイバーケーブルＡ，Ｂはケース１外に露出しているケーブルガイド４の手前側から入れてケース１側から抜く)ように配線する。これは、４つの可動式パッチパネル部２―ａ〜ｄが何れであっても、また、可動式パッチパネル部２―ａ〜ｄの引出し方向が何れであっても、共通である。
【００７３】
本実施例では、第１及び第２のケーブルガイド４−ａ１〜ｄ１，４−ａ２〜ｄ２の可動式パッチパネル部２−ａ〜ｄと係止した各端部(白丸○が付された各端部)を幅方向(第２方向)の同じ側に揃えているため、図４Ｂの(ａ)と(ｂ)を見比べると判るように、可動式パッチパネル部２−ａ〜ｄを前面側(第１側)及び背面側(第２側)の何れに引出しても、奥行方向(第１方向)に徐々に長くなってケース１外に露出してくるケーブルガイド４の直線部は幅方向(第２方向)の同じ側(可動式パッチパネル部２−ａ，２−ｃでは第２直線部と第４直線部で共に左側(第４側)，可動式パッチパネル部２−ｂ，２−ｄでは第１直線部と第３直線部で共に右側(第１側))となる。この為、ケース１外の露出した状態及びケース１に収容された状態のケーブルガイド４の下部を支えると共に幅方向(第２方向)への広がりを抑止するための可動式パッチパネル部２−ａ〜ｄに固定された受け棚を設ける際に、本実施例では１つの可動式パッチパネル部２につき１つの受け棚を幅方向(第２方向)の片側のみ(可動式パッチパネル部２−ａ，２−ｃでは左側(第４側)のみ，可動式パッチパネル部２−ｂ，２−ｄでは右側(第１側)のみ)に設けるだけでよい。上述した実施例３や実施例４では、図３Ｂ〜Ｄを見れば判るように、可動式パッチパネル部２−ａ〜ｄを前面側(第１側)に引出すか面側(第２側)に引出すかで徐々に長くなってケース１外に露出してくるケーブルガイド４の直線部が幅方向(第２方向)の異なる側となっており、上記受け棚も１つの可動式パッチパネル部２につき２つを幅方向(第２方向)の両側に設けなければならず、その分１つの可動式パッチパネル部２に対する収容スペースが大きくなってしまう。本実施例では、上記受け棚を幅方向(第２方向)の片側のみに設けるだけですむので、１つの可動式パッチパネル部２に対する収容スペースを上述の実施例３や実施４よりも小さなものとすることができ、光配線ユニットでの光ファイバケーブルの収容密度の更なる高密度化を実現することができる。また、部品点数も少なくてすむので光配線ユニットの製造コストを低減することもできる。なお、この効果は、以下で述べる全ての実施例において備わっている。
【００７４】
また、本実施例では、可動式パッチパネル部２−ａ〜ｄがケース１内に収容された状態において、幅方向(第２方向)で隣り合うケーブルガイド４の各端部はケース１に係止するか或いは可動式パッチパネル部２−ａ〜ｄに係止するかの何れかに揃えてある。上述した実施例３や実施例４では、幅方向(第２方向)で隣り合うケーブルガイド４の各端部は一方がケース１に係止する端部で他方が可動式パッチパネル部２−ａ〜ｄに係止する端部となっているため、４つの可動式パッチパネル部２−ａ〜ｄの各収容スペースの間の全てにケース１に係止するための手段を設けなければならない。これに対して、本実施例では、可動式パッチパネル部２−ａと可動式パッチパネル部２−ｂの各収容スペースの間や可動式パッチパネル部２−ｃと可動式パッチパネル部２−の各収容スペースの間にはケース１に係止するための手段を設ける必要がなく、また、可動式パッチパネル部２−ｂと可動式パッチパネル部２−ｃの各収容スペースの間に設けるケース１に係止するための手段もその一部分を供用することができる。これらのことでも、本実施例は、上述した実施例３や実施例４よりも光配線ユニットでの光ファイバケーブルの収容密度の更なる高密度化及び製造コスト低減に寄与したものとなっている。なお、この効果は次に述べる実施例６でも同様である。
【実施例６】
【００７５】
図４Ｃは光配線ユニットの実施例６の上面図である。
【００７６】
本実施例が上述の実施例５と異なる点は、可動式パッチパネル部２−ａ〜ｄと第１のケーブルガイド４−ａ１〜ｄ１と第２のケーブルガイド４−ａ２〜ｄ２からなる全ての組みにおいて、光コネクタアダプタ５の傾斜の方向が同じ(右側(第１側)から１番目及び３番目の組みを１８０°回転させて可動式パッチパネル部とケーブルガイドとの係止である白丸○が一致するように右側(第１側)から２番目及び４番目の組みに重ねた合わせた場合に光コネクタアダプタの傾斜方向が同じ)となっていることである。
【００７７】
製造過程において、実施例５では光コネクタアダプタの傾斜方向が異なる２組のものを用意しておく必要があるが、本実施例ではこの必要がないため、製造過程の容易化が図られている。なお、この効果は次に述べる実施例７でも同様である。
【実施例７】
【００７８】
図４Ｄは光配線ユニットの実施例７の上面図である。
【００７９】
本実施例は、上述の実施例６の右側(第１側)から２番目及び４番目の組みを夫々１８０°回転させた(右側(第１側)から１番目及び３番目の組みと置き換えた)ものである。
【００８０】
上述の実施例６では可動式パッチパネル部２−ａ〜ｄが収納された状態での前面側(第１側)の内線(第１の)光ファイバケーブルＡの引出し箇所及び背面側(第２側)の外線(第２の)光ファイバケーブルＢの引出し箇所が幅方向(第２方向)の中央部で集中していたが、本実施例では上記引出し箇所が幅方向(第２方向)で所定間隔をおいて分散しているので、内線(第１の)光ファイバケーブルＡの光通信処理ユニットに向けての配線作業及び外線(第２の)光ファイバケーブルＢの光伝送装置外部に向けての配線作業を容易なものとすることができる。
【実施例８】
【００８１】
図４Ｅは光配線ユニットの実施例８の上面図である。
【００８２】
本実施例は、上述の実施例５の右側(第１側)から２番目の組みと３番目の組みを入替えたものである。
【００８３】
上述の実施例５では可動式パッチパネル部２−ａ〜ｄが収納された状態での前面側(第１側)の内線(第１の)光ファイバケーブルＡの引出し箇所及び背面側(第２側)の外線(第２の)光ファイバケーブルＢの引出し箇所が幅方向(第２方向)の中央部で集中していたが、本実施例では上記引出し箇所が幅方向(第２方向)で所定間隔をおいて分散しているので、内線(第１の)光ファイバケーブルＡの光通信処理ユニットに向けての配線作業及び外線(第２の)光ファイバケーブルＢの光伝送装置外部に向けての配線作業を容易なものとすることができる。
【００８４】
以下、更なる詳細図を用いて本実施例をさらに説明する。
【００８５】
図５は光伝送装置の全体構成図、図６Ａは光配線ユニット１０の可動式パッチパネル１３を前面側に引出した状態の正面斜視図、図６Ｂは光配線ユニット１０の可動式パッチパネル１３を背面側に引出した状態の背面斜視図、図７は光配線ユニット１０の分解斜視図を示す。
【００８６】
図５に示す様に、光伝送装置は光配線ユニット１０，架２０，光信号処理ユニット３０を有しており、架２０は複数の機器が搭載可能であり、光配線ユニット１０と光信号処理ユニット３０が搭載され、光配線ユニット１０と光信号処理ユニット３０の間は内線(第１の)光ファイバケーブル５０で接続される。
【００８７】
また、図６Ａに示す様に、光配線ユニット１０はシェルフ(ケース)１１，スライドレール１２，可動式パッチパネル１３,８０,８１,８２，光コネクタアダプタ４０，前面用(第１の)ケーブルガイド１５，ロック付きハンドル１７，内線(第１の)光ファイバケーブル５０，前面用配線トレイ２１を有している。
【００８８】
さらに、図６Ｂに示す様に、光配線ユニット１０は背面用(第２の)ケーブルガイド１６，外線(第２の)光ファイバケーブル６０，背面用配線トレイ２２を有している。
【００８９】
尚、内線(第１の)光ファイバケーブル５０及び外線(第２の)光ファイバケーブル６０は全ての光コネクタアダプタ４０に接続されるが、本実施例では一部のみ図示し省略している。
【００９０】
また、内線(第１の)光ファイバケーブル５０及び外線(第２の)光ファイバケーブル６０は光コネクタアダプタ４０の周辺を除いて、配線ルート別に複数本をまとめて1本のファイバケーブル束として図示している。
【００９１】
光配線ユニット１０は、架２０の外部から導入された外線(第２の)光ファイバケーブル６０を光コネクタアダプタ４０で中継し、内線(第１の)光ファイバケーブル５０を介して、架２０に搭載された光信号処理ユニット３０へ接続するためのもので、架２０の外部からの外線(第２の)光ファイバケーブル６０を図６Ｂに示す光コネクタアダプタ４０の背面側に接続し、図６Ａに示す正面側の光コネクタアダプタ４０から内線(第１の)光ファイバケーブル５０を介して架２０に搭載された光信号処理ユニット３０へ接続している。
【００９２】
図７を用いて、本光配線ユニット１０の概要を説明する。
【００９３】
光配線ユニットはシェルフ(ケース)１１を備えており、シェルフ(ケース)１１はケース下部１１１及びカバー１１２から成る。シェルフ(ケース)１１内部には４セットの可動式パッチパネル１３,８０,８１,８２が実装される。可動式パッチパネル１３,８０,８１,８２は前面側及び背面側に伸縮可能なスライドレール１２を介してケース下部１１１に接続される。可動式パッチパネル１３の上部には前面用(第１の)ケーブルガイド１５及び背面用(第２の)ケーブルガイド１６が実装され、前面用(第１の)ケーブルガイド１５の片端は可動式パッチパネル１３の前面側端部に固定され、もう片端はケース下部１１１の前面側端部に接続される。背面用(第２の)ケーブルガイド１６の片端は可動式パッチパネル１３の背面側端部に固定され、もう片端はケース下部１１１の背面側端部に固定される。カバー１１２の上部には前面用配線トレイ２１及び背面用配線トレイ２２が実装されている。
【００９４】
４セットの可動式パッチパネルは基本的に同一構造であるため、以後、可動式パッチパネル１３に着目して、光配線ユニット１０の詳細構造を説明する。
【００９５】
図８は可動式パッチパネル１３の正面斜視図である。
【００９６】
可動式パッチパネル１３に光コネクタアダプタ４０が可動式パッチパネル１３の長手方向(第１方向)に対して斜め４５度傾いた状態で実装される。なお、上述したように、この光コネクタアダプタ４０の傾斜角度は３５〜５５度の範囲内とすることが好ましい。光コネクタアダプタ４０には内線(第１の)光ファイバケーブル５０及び外線(第２の)光ファイバケーブル６０の先端の光コネクタが差し込まれる。
【００９７】
図９に可動式パッチパネル１３の背面斜視の一部拡大図を示す。
【００９８】
可動式パッチパネル１３は、光コネクタアダプタ４０を取付けるために高さ方向(鉛直方向)及び装置奥行き方向(第１方向)に複数配置された光コネクタアダプタ取付孔１３１を備える。また、この光コネクタアダプタ取付孔１３１は可動式パッチパネル１３の長手方向(第１方向)に対して斜め４５度傾いた方向を向いている。
【００９９】
光コネクタアダプタ４０は、内線(第１の)光ファイバケーブル５０及び外線(第２の)光ファイバケーブル６０を中継接続するものであり、光コネクタアダプタ４０の前面側に内線(第１の)光ファイバケーブル５０の内線光コネクタ５０１を接続するための光コネクタ挿入部４０３を、背面側に外線(第２の)光ファイバケーブル６０の外線光コネクタ６０１を接続するための光コネクタ挿入部４０４を有し、光コネクタアダプタの上下面には可動式パッチパネル１３と固定するための手段を有する。
【０１００】
可動式パッチパネル１３の複数の光コネクタアダプタ取付孔１３１にそれぞれ光コネクタアダプタ４０を図９に示すＡ方向に挿入していくと、複数の光コネクタアダプタ４０が可動式パッチパネル１３の縦方向(鉛直方向)及び装置奥行き方向(第１方向)に複数並び実装される。光コネクタアダプタ４０が必要数量(本実施例では装置奥行き方向(第１方向)に１６個を２段)だけ取り付け可能な様に、可動式パッチパネル１３には光コネクタアダプタ取付孔１３１を必要数設けてある。可動式パッチパネル１３の架２０における実装面積を低減するためには、装置奥行き方向(第１方向)に多数の光コネクタアダプタ取付孔１３１を設けることが有効であるが、これに伴い可動式パッチパネル１３の奥行き方向(第１方向)のサイズが大きくなるため、架２０の奥行き方向(第１方向)サイズ内に収まるサイズになる様に、光コネクタアダプタ取付孔１３１の奥行き方向(第１方向)の数量は調整する必要がある。
【０１０１】
図１０にケース下部１１１に対するスライドレール１２と可動式パッチパネル１３の取り付け詳細図を示す。
【０１０２】
ケース下部１１１はスライドレール１２を固定するためのスライドレール固定ねじ穴１１３を有する。スライドレール１２は前面側(第１側)及び背面側(第２側)に伸縮可能な機構を有し、ケース下部１１１へ固定する際に使用するケースへの固定用孔１２１及び可動式パッチパネル固定孔１２２を有する。図１０において、スライドレール１２は前面側に伸びた状態である。  可動式パッチパネル１３は、スライドレール１２に固定するためのスライドレール固定ねじ穴１３７を有する。スライドレール１２はケース下部１１１にねじ固定され、可動式パッチパネル１３はスライドレール１２にねじ固定される。この状態で可動式パッチパネル１３は、前面側(第１側)及び背面側(第２側)に伸縮可能なスライドレール１２に取り付けられているため、前面側(第１側)及び背面側(第２側)にスライドさせることが可能となる。
【０１０３】
図１１Ａ，図１１Ｂを使用して、ケース下部１１１及び可動式パッチパネル１３に対する前面用(第１の)ケーブルガイド１５の取付方法を示す。図１１Ａはケース下部１１１及び可動式パッチパネル１３に対する前面用(第１の)ケーブルガイド１５の取付図である。図１１Ｂは可動式パッチパネル１３を最大限に前面側(第１側)に引出した状態の光配線ユニット１０の上面図である。配線トレイ及び光ファイバケーブルは省略して図示している。
【０１０４】
前面用(第１の)ケーブルガイド１５はケースへの固定用孔１５１と可動式パッチパネルへの固定用孔１５２とを有する。また、前面用(第１の)ケーブルガイド１５は光ファイバケーブルの最低曲げ半径を維持したまま、自由に曲がる構造を有している。ケース下部１１１はケーブルガイドを搭載するための受け棚２３を有しており、受け棚２３は前面用(第１の)ケーブルガイド１５を固定するためのケーブルガイド固定用ねじ穴２３１を有する。可動式パッチパネル１３は前面用(第１の)ケーブルガイド１５を搭載するための受け棚１３３を有しており、受け棚１３３は前面用(第１の)ケーブルガイド１５を固定するためのケーブルガイド固定ねじ穴１３４を有する。
【０１０５】
図１１Ａに示す様に、ケース下部１１１の受け棚２３に設けられたケーブルガイド固定用ねじ穴２３１に対して、前面用(第１の)ケーブルガイド１５のケースへの固定用孔１５１の位置を合わせ、ケースへの固定用孔１５１の設けられた部位が回転可能となるようにねじ固定する。さらに、可動式パッチパネル１３の受け棚１３３に設けられたケーブルガイド固定用ねじ穴１３４に対して、前面用(第１の)ケーブルガイド１５の可動式パッチパネルへの固定用穴１５２の位置を合わせ、前面用(第１の)ケーブルガイド１５の可動式パッチパネルへの固定用穴１５２が設けられた部位が回転可能となるようにねじ固定する。この際、前面用(第１の)ケーブルガイド１５はＵ字形に折り曲げた状態で固定する。前面用(第１の)ケーブルガイド１５の長さは折り曲げた状態で可動式パッチパネル１３の約半分の長さである。
【０１０６】
この状態で、前面用(第１の)ケーブルガイド１５の片端は可動式パッチパネル１３に固定されているため、図１１Ｂに示す様に、可動式パッチパネル１３のスライドに応じて、前面用(第１の)ケーブルガイド１５の片端が引き出され、最大限に可動式パッチパネル１３を引出した状態で、前面用(第１の)ケーブルガイド１５が完全にシェルフ(ケース)１１から露出するため、前面用(第１の)ケーブルガイド１５への内線(第１の)光ファイバケーブル５０の収容作業が容易に実施可能となる。
【０１０７】
図１２Ａ，図１２Ｂを使用して、ケース下部１１１及び可動式パッチパネル１３に対する背面用(第２の)ケーブルガイド１６の取付方法を示す。図１２Ａはケース下部１１１及び可動式パッチパネル１３に対する背面用(第２の)ケーブルガイド１６の取付図である。図１２Ｂは可動式パッチパネル１３を最大限に背面側(第２側)に引出した状態の光配線ユニット１０の上面図である。配線トレイ及び光ファイバケーブルは省略して図示している。
【０１０８】
背面用(第２の)ケーブルガイド１６はケースへの固定用孔１６１と可動式パッチパネルへの固定用孔１６２とを有する。また、背面用(第２の)ケーブルガイド１６は光ファイバケーブルの最低曲げ半径を維持したまま、自由に曲がる構造を有している。ケース下部１１１はケーブルガイドを搭載するための受け棚２３を有しており、受け棚２３は背面用(第２の)ケーブルガイド１６を固定するためのケーブルガイド固定用ねじ穴２３２を有する。可動式パッチパネル１３は背面用(第２の)ケーブルガイド１６を搭載するための受け棚１３３を有しており、受け棚１３３は背面用(第２の)ケーブルガイド１６を固定するためのケーブルガイド固定用ねじ穴１３５を有する。
【０１０９】
図１２Ａに示す様に、ケース下部１１１の受け棚２３に設けられたケーブルガイド固定用ねじ穴２３２に対して、背面用(第２の)ケーブルガイド１６のケースへの固定用孔１６１の位置を合わせ、背面用(第２の)ケーブルガイド１６のケースへの固定用穴１６１が設けられた部位が回転可能となるようにねじ固定する。さらに、可動式パッチパネル１３の受け棚１３３に設けられたケーブルガイド固定用ねじ穴１３５に対して、背面用(第２の)ケーブルガイド１６の可動式パッチパネルへの固定用孔１６２の位置を合わせ、背面用(第２の)ケーブルガイド１６の可動式パッチパネルへの固定用孔１６２が設けられた部位が回転可能となるようにねじ固定する。この際、背面用(第２の)ケーブルガイド１６はＵ字形に折り曲げた状態で固定する。背面用(第２の)ケーブルガイド１６の長さは折り曲げた状態で可動式パッチパネル１３の約半分の長さである。
【０１１０】
この状態で、背面用(第２の)ケーブルガイド１６の片端は可動式パッチパネル１３に固定されているため、図１２Ｂに示す様に、可動式パッチパネル１３のスライドに応じて、背面用(第２の)ケーブルガイド１６の片端が引き出され、最大限に可動式パッチパネル１３を引出した状態で、背面用(第２の)ケーブルガイド１６が完全にシェルフ(ケース)１１から露出するため、背面用(第２の)ケーブルガイド１６への外線(第２の)光ファイバケーブル６０の収容作業が容易に実施可能となる。
【０１１１】
図１３を使用して光コネクタアダプタ４０に対する内線(第１の)光ファイバケーブル５０の接続作業を、図１４を使用して光コネクタアダプタ４０に対する外線(第２の)光ファイバケーブル６０の接続作業を示す。図１３は光コネクタアダプタ４０に対する内線(第１の)光ファイバケーブル５０の接続作業を説明する可動式パッチパネル１３の前面側(第１側)端部の拡大図である。図１４は光コネクタアダプタ４０に対する外線(第２の)光ファイバケーブル６０の接続作業を説明する可動式パッチパネル１３の背面側(第２側)端部の拡大図である。図１３，図１４共に光ファイバケーブル束は省略して図示している。ここで、光コネクタアダプタ４０は可動式パッチパネル１３に実装された状態である。
【０１１２】
図１３に示す様に、光コネクタアダプタ４０に設けられた光コネクタ挿入部４０３に内線(第１の)光ファイバケーブル５０の内線光コネクタ５０１を挿入すると、内線光コネクタ５０１の内線コネクタロック５０２が抜去方向への移動を抑制する機構となっていて、光コネクタ挿入部４０３に内線光コネクタ５０１が固定され、内線(第１の)光ファイバケーブル５０が光コネクタアダプタ４０に接続される。
【０１１３】
また、図１４に示す様に、光コネクタアダプタ４０に設けられた光コネクタ挿入部４０４に外線(第２の)光ファイバケーブル６０の外線光コネクタ６０１を挿入すると、外線光コネクタ６０１の外線コネクタロック６０２が抜去方向への移動を抑制する機構となっていて、光コネクタ挿入部４０４に外線光コネクタ６０１が固定され、外線(第２の)光ファイバケーブル６０が光コネクタアダプタ４０に接続される。
【０１１４】
次に、接続解除作業について説明する。
【０１１５】
内線光コネクタ５０１の接続解除作業は内線光コネクタ５０１の内線コネクタロック５０２を押下することにより抜去方向への移動抑制が解除され、光コネクタ挿入部４０３と内線光コネクタ５０１の固定が解除され、内線(第１の)光ファイバケーブル５０と光コネクタアダプタ４０の接続解除がなされる。
【０１１６】
同様に、外線光コネクタ６０１の接続解除作業は外線光コネクタ６０１の外線コネクタロック６０２を押下することにより抜去方向への移動抑制が解除され、光コネクタ挿入部４０４と外線光コネクタ６０１の固定が解除され、外線(第２の)光ファイバケーブル６０と光コネクタアダプタ４０の接続解除がなされる。
【０１１７】
図１５Ａ及び図１５Ｂを使用して、光ファイバコネクタ接続作業及び接続解除作業時の可動式パッチパネル１３の操作作業を説明する。図１５Ａは可動式パッチパネル１３を前面側に引出した状態の光配線ユニット１０の正面斜視図である。図１５Ｂは図１５ＡのＢ部の拡大図である。
【０１１８】
接続作業及び接続解除作業時は、接続作業及び接続解除作業を実施したい側の光ファイバケーブル（内線(第１の)光ファイバケーブル５０若しくは外線(第２の)光ファイバケーブル６０）が実装されている側へ可動式パッチパネル１３を引き出す。図１５Ａの例では、前面側(第１側)に内線(第１の)光ファイバケーブル５０が実装されているため、前面側(第１側)に可動式パッチパネル１３を引出し、この状態で内線光コネクタ５０１の接続若しくは解除作業を実施する。外線光コネクタ６０１の接続若しくは解除作業を実施する場合には、逆に背面側(第２側)に可動式パッチパネル１３を引出し、作業を行う。
【０１１９】
光アダプタコネクタ４０は可動式パッチパネル１３に対して斜めに傾いた状態で取り付けられており、各作業面において、対象としている光ファイバケーブルの挿抜作業が実施し易い構造となっている。
【０１２０】
図１５Ｂを用いてより詳細に説明すると、可動式パッチパネル１３の前面側(第１側)から見て左側(第４側)が内線光コネクタ５０１を接続する面であり、光コネクタアダプタ４０の光コネクタ挿入部４０３はこの面において斜め前方を向いており、前面側から内線光コネクタ５０の挿抜作業を実施する際に、作業し易い構造となっている。
【０１２１】
本実施例では、前面側(第１側)から内線(第１の)光ファイバケーブル５０を、背面側(第２側)から外線(第２の)光ファイバケーブル６０を配線しているが、前後を逆にして、前面側(第１側)から外線(第２の)光ファイバケーブル６０を、背面側(第２側)からに内線(第１の)光ファイバケーブル５０を配線しても良い。
【０１２２】
また、光コネクタアダプタ４０を可動式パッチパネル１３に対して斜めに傾けることで、光ファイバケーブルの許容最低曲げ半径を確保するために必要な光配線ユニット１０の幅方向の領域を小さく抑える効果もある。
【０１２３】
例えば，図１６に示すように、ケース９０内に納められた可動式パッチパネル９１に対して、光コネクタアダプタ４０の向きが、可動式パッチパネル９１の引出し方向(第１方向)に対して９０度直行する向きである場合、内線(第１の)光ファイバケーブル５０及び外線(第２の)光ファイバケーブル６０の最低曲げ半径を確保するために必要な領域が本実施例と比較して拡大するため、一般的な１９インチ幅の架２０に収容する場合、本実施例の場合には４枚の可動式パッチパネルを収容可能だが、図１６の例の場合には２枚しか可動式パッチパネル９１を収容することができない。
【０１２４】
本実施例では光コネクタアダプタ４０は可動式パッチパネル１３に対して斜めに４５度傾けているが、光コネクタの挿抜作業性が良く、光ファイバケーブルの許容最低曲げ半径を光配線ユニット１０の幅方向内で確保可能であれば、この角度は適切に調整しても構わない。上述したように、この角度は３５〜５５度の範囲内で調整することが好ましい。
【０１２５】
さらに、光コネクタの挿抜作業実施時にこの角度を自由に変更可能な構造を採用しても良い。
【０１２６】
図１７Ａ〜図１７Ｃを使用して、光配線ユニット内部での内線(第１の)光ファイバケーブル５０の配線ルートを説明する。図１７は可動式パッチパネル１３を前面側(第１側)に引出した状態の光配線ユニット１０の前面周辺の正面斜視図であり、説明のため、シェルフ(ケース)１１のカバー１１２，可動式パッチパネル１３の受け棚１３３及び配線トレイを省略して図示している。また、内線(第１の)光ファイバケーブル５０は可動式パッチパネル１３へ導入されるもののみを図示している。外線(第２の)光ファイバケーブル６０は図示していない。図１７Ｂはガイド部１５３及びロック部１５４の拡大図で、図１７Ｃはガイド部１５３及びロック部１５４の拡大図でロック部１５４を解放した状態図である。
【０１２７】
所定の光コネクタアダプタ４０の光コネクタ挿入部４０３へ内線光コネクタ５０１を差し込んだ内線(第１の)光ファイバケーブル５０は、前面側(第１側)に引出し、許容最低曲げ半径を確保しながら上方向へ持っていき、可動式パッチパネル１３への固定用孔１５２のある前面側(第１側)の部位から前面用(第１の)ケーブルガイド１５に導入する。前面用(第１の)ケーブルガイド１５はガイド部１５３及びロック部１５４を複数備えている。図１７Ｂ及び図１７Ｃの拡大図に示す様に、ロック部１５４は下からの跳ね上げのワンタッチでガイド部１５３から開放可能な構造となっており、ロック部１５４を開放した状態でガイド部１５３内に内線(第１の)光ファイバケーブル５０を収めていく。全てのガイド部１５３内に内線(第１の)光ファイバケーブル５０を納めた後、前面用(第１の)ケーブルガイド１５のケースへの固定用孔１５１がある部位から抜き出し、図１７で省略している前面用配線トレイ２１を通過させる。
【０１２８】
以下同様に、内線(第１の)光ファイバケーブル５０を必要本数だけ光配線ユニット１０内に実装する。全ての内線(第１の)光ファイバケーブル５０の配線が終了したら、前面用(第１の)ケーブルガイド１５の全てのロック部１５４を押し下げて図１７Ｃの状態から図１７Ｂの状態にした後に、可動式パッチパネル１３を押し込みシェルフ(ケース)１１内に収納する。本実施例では一枚の可動式パッチパネル１３には最大で１２８本の内線(第１の)光ファイバケーブル５０を収容可能である。可動式パッチパネルは一台の光配線ユニット１０に最大４枚実装可能であるので、一台の光配線ユニット１０には５１２本の内線(第１の)光ファイバケーブル５０を収容可能となる。本実施例では光配線ユニット１０は上部の配線トレイまで含めた高さが４Ｕであり、図２５に示す様な従来技術では５１２本の光ファイバケーブルを収容するには９Ｕの高さが必要であったため、大幅に架２０内面積あたりの実装密度が向上している。
【０１２９】
図１８を使用して、光配線ユニット内部での外線(第２の)光ファイバケーブル６０の配線ルートを説明する。図１８は可動式パッチパネル１３を背面側(第２側)に引出した状態の光配線ユニット１０の背面周辺の背面斜視図であり、説明のため、シェルフ(ケース)１１のカバー１１２，可動式パッチパネル１３の受け棚１３３及び配線トレイを省略して図示している。また、外線(第２の)光ファイバケーブル６０は可動式パッチパネル１３へ導入されるもののみを図示している。内線(第１の)光ファイバケーブル５０は図示していない。
【０１３０】
所定の光コネクタアダプタ４０の光コネクタ挿入部４０４へ外線光コネクタ６０１を差し込んだ外線(第２の)光ファイバケーブル６０は、背面側(第２側)に引出し、許容最低曲げ半径を確保しながら可動式パッチパネル１３の背面側(第２側)を跨いで上斜め方向へ持っていき、可動式パッチパネル１３への固定用孔１６２のある背面側(第２側)の部位から背面用(第２の)ケーブルガイド１６に導入する。背面用(第２の)ケーブルガイド１６はガイド部１６３及びロック部１６４を複数備えており、ロック部１６４はワンタッチで開放可能な構造となっており、ロック部１６４を開放した状態でガイド部１６３内に外線(第２の)光ファイバケーブル６００を収めていく。全てのガイド部１６３内に外線(第２の)光ファイバケーブル６０を納めた後、背面用(第２の)ケーブルガイド１６のケースへの固定用孔１６１がある部位から抜き出し、図１８で省略している背面用配線トレイ２２を通過させる。
【０１３１】
以下同様に、外線(第２の)光ファイバケーブル６０を必要本数だけ光配線ユニット１０内に実装する。
【０１３２】
以上のようにして、内線(第１の)光ファイバケーブル５０と外線(第２の)光ファイバケーブル６０は光コネクタアダプタ４０を介して接続される。            
図１９Ａを使用して、架２０から各可動式パッチパネルまでの配線ルートについて説明する。図１９Ａは本発明の光伝送装置の正面図である。
【０１３３】
架２０は正面から見て左側の架側である架側２０１及び右側の架側である架側２０２を有する。光配線ユニット１０は可動式パッチパネル１３,８０,８１,８２の４本の可動式パッチパネルを有しており、上部には前面用配線トレイ２１を有している。
【０１３４】
架２０の左側の架側２０１へ配線される内線(第１の)光ファイバケーブル５０は、最も左の可動式パッチパネル８２からは許容最低曲げ半径を確保しながら配線することのみに注意して配線すれば良いが、その他の可動式パッチパネル１３,８０,８１から配線する際には、各可動式パッチパネル１３,８０,８１の左側の可動式パッチパネル８０,８１,８２が引き出されることを考慮し、これを避ける様に配線する必要がある。このため、可動式パッチパネル１３,８０,８１に対する内線(第１の)光ファイバケーブル５０を配線する際には、光配線ユニット１０の上部に設けられた前面用配線トレイ２１を経由して配線する。
【０１３５】
具体的に、左から2番目の可動式パッチパネル８１に対する配線について説明する。可動式パッチパネル８１の前面用(第１の)ケーブルガイド１５のケースへの固定用孔１５１がある部位から抜き出された内線(第１の)光ファイバケーブル５０は、許容最低曲げ半径を確保しつつ上方向に配線され、可動式パッチパネル８１上の部分において前面用配線トレイ２１に導入される。前面用配線トレイ２１に導入された後は、可動式パッチパネル８２の上方を横切って架側２０１まで配線される。
【０１３６】
その他の可動式パッチパネル１３,８０についても同様に、各可動式パッチパネル１３,８０の左側の可動式パッチパネル８０,８１,８２の挿抜を阻害しない様に、光配線ユニット１０上部の前面用配線トレイ２１を通して、可動式パッチパネル１３,８０から架側２０１へ配線する。
【０１３７】
上述の配線ルート例では、内線(第１の)光ファイバケーブル５０は全て左側の架側２０１を通すようになっているが、図１９Ｂに示す配線ルート例１の様に、全て右側の架側２０２を通しても良く、この場合、前面用配線トレイ２１内を含めた配線は全て左側の架側２０１を通す場合と左右対称にすれば良い。さらに、図１９Ｃに示す配線ルート例２の様に、可動式パッチパネル８２及び８１からの配線は左側の架側２０１へ、可動式パッチパネル８０及び１３からの配線は右側の架側２０２へ配線しても良く、この場合、各可動式パッチパネルから各架側への配線は、左右対称の配線となる。また、図１９Ｄに示す配線ルート例３の様に、可動式パッチパネル８０,８１,８２からの配線は左側の架側２０１へ、可動式パッチパネル１３からの配線は右側の架側２０２へ配線しても良い。  逆に、図１９Ｅに示す配線ルート例４の様に、可動式パッチパネル８２からの配線は左側の架側２０１へ、可動式パッチパネル１３,８０,８１からの配線は右側の架側２０２へ配線しても良い。
【０１３８】
以上、各可動式パッチパネルから架２０までの配線ルートについて、前面側(第１側)の内線(第１の)光ファイバケーブル５０を例として説明したが、背面側(第２側)の外線光ファイバ６０についても同様に配線される。
【０１３９】
図２０Ａ及び図２０Ｂを使用して前面用配線トレイ２１について説明する。図２０Ａは前面用配線トレイ２１を前面側に引出した状態を、図２０Ｂは前面用配線トレイ２１を挿入し収容した状態を示す。光ファイバケーブル５０は可動式パッチパネル１３に対するもののみ図示しており、可動式パッチパネル１３は前面側(第１側)へ引出した状態である。また、内線光コネクタ５０１及び可動式パッチパネル１３の受け棚１３３については省略して図示している。
【０１４０】
光配線ユニット１０の上部には前面用配線トレイ２１が前後方向にスライド可能に実装されており、前面用配線トレイ２１には複数のガイド部材２１１が実装されている。可動式パッチパネル側から導入される内線(第１の)光ファイバケーブル５０はこの前面用配線トレイ２１を経由して架側へと配線可能となっている。
【０１４１】
前面用配線トレイ２１の上部に他の通信装置等が無い場合は、図２０Ｂの様に前面用配線トレイ２１が収容された状態で前面用配線トレイ２１のガイド部材２１１へのアクセスが可能であり配線作業を実施することが可能だが、前面用配線トレイ２１の上部に他の通信装置等が設置された場合は、前面用配線トレイ２１のガイド部材２１１が他の通信装置等の下へ隠れてしまい、配線作業は困難となる。そこで、前面用配線トレイ２１を図２０Ａの様に前面側(第１側)に引出し、この状態で前面用配線トレイ２１への配線作業を実施する。しかしながら、図２０Ａに示す様に、前面用配線トレイ２１を前面側(第１側)に引出したままでは可動式パッチパネル１３を前面側(第１側)に引出しても前面用(第１の)ケーブルガイド１５が完全に露出せず、一部のガイド部１５３が前面用配線トレイ２１の下に隠れた状態となり、アクセスが困難となるため、図２０Ｂの様に前面用配線トレイ２１を挿入し前面用(第１の)ケーブルガイド１５へのアクセス性を確保する。
【０１４２】
ガイド部材２１１の位置については、前面用配線トレイ２１内の様々な箇所に配置可能で、図１９Ａ〜図１９Ｅにて説明した架側２０１，架側２０２のいずれを通すかの各パターンに対応可能な構造となっている。
【０１４３】
以上、前面用配線トレイ２１について説明したが、背面用配線トレイ２２についても同様の構造であり、外線(第２の)光ファイバケーブル６０の配線に関しても前面側(第１側)と同様の考え方を適用できる。
【０１４４】
図２１Ａ〜図２１Ｅを用いて可動式パッチパネルのロック機構について説明する。図２１Ａは光配線ユニット１０の正面図である。配線トレイ及び光ファイバケーブルは省略して図示している。図２１Ｂは図２１ＡのＣ−Ｃ断面図である。図２１Ｃは図２１ＢのＤ部拡大図であり、可動式パッチパネルのロックがかかった状態図である。図２１Ｄは図２１ＢのＤ部拡大図であり、可動式パッチパネルのロックが解除された状態図である。図２１Ｅは図２１ＢのＤ部拡大図であり、可動式パッチパネルが引き出された状態図である。
【０１４５】
各可動式パッチパネルはロック付ハンドル１７を備えている。以降、可動式パッチパネル１３を例として説明する。図２１Ｃは可動式パッチパネル１３を収容した状態図である。この状態ではロック付きハンドル１７のロック１７２が、ケース下部１１１のロック受け１１４に引っかかっており、Ｅの方向に可動式パッチパネル１３を引き出すことができない。
【０１４６】
図２１Ｄに示すように、ロック付ハンドル１７のハンドル１７１を押し下げるとロック１７２が上方へ移動し、ロック受け１１４との引っかかりが解除され、Ｅの方向に可動式パッチパネル１３が移動可能となり、可動式パッチパネル１３が引き出せる。
【０１４７】
次に、挿入時については、図２１Ｅに示すように、Ｆの方向へ可動式パッチパネル１３を移動させると、ロック１７２がロック受け１１４の斜面部を乗り越え、乗り越えた後にはロック１７２が自動的に下方へ移動し、図２１Ｃの状態となりロックがかかる。
【０１４８】
上述のロック機構を可動式パッチパネル１３の前面側(第１側)及び背面側(第２側)の双方に設ける事で、前面側(第１側)及び背面側(第２側)の何れからでもロックを解除し、可動式パッチパネル１３の引出しが可能となる。
【０１４９】
また、図２１Ｃから明らかな様に、前面側(第１側)に引き出す場合は前面側(第１側)のロックを解除する必要があるため、背面側(第２側)から可動式パッチパネル１３を挿入した際に誤って前面側(第１側)へ可動式パッチパネル１３が飛び出してしまうことはない。同様に、前面側(第１側)から挿入した際に誤って背面側(第２側)へ可動式パッチパネル１３が飛び出してしまうこともない。
【０１５０】
図２２を用いて可動式パッチパネル１３の番地表示について説明する。図２２は可動式パッチパネル１３の正面側の一部拡大斜視図である。受け棚１３３は省略して図示している。
【０１５１】
可動式パッチパネル１３に実装された光コネクタアダプタ４０の各光コネクタ挿入部４０３の対応する位置にはそれぞれ番地表示１１５がなされており、また、光コネクタアダプタの上部の面には、番地表示１１５に対応する番地表示１１６がなされている。これらの番地表示１１５，１１６により、多数の光コネクタアダプタ４０が並んで実装されていても、接続先を容易に判別することが可能となる。なお、可動式パッチパネル８０,８１,８２に関しても同様の番地表示がなされている。
【０１５２】
図２３を使用してファイバカバー１４について、可動式パッチパネル１３の内線光ファイバ５０側を例に説明する。図２３は光配線ユニット１０の可動式パッチパネル１３周辺の正面斜視図である。内線(第１の)光ファイバケーブル５０は可動式パッチパネル１３に対するもののみ図示している。可動式パッチパネル１３は前面側(第１側)へ引き出された状態である。
【０１５３】
光伝送装置が通信サービス中でも保守の為に各可動式パッチパネルは挿抜されるため、万が一にも挿抜作業中に、光ファイバケーブルが断線したり、性能を維持するのに必要な許容最低曲げ半径を下回って光ファイバケーブルが屈曲してはならない。このような通信サービスの中断や不具合に至る可能性がある事象を回避するため、図２３に示す様に、内線(第１の)光ファイバケーブル５０を覆うようにファイバカバー１４を取り付ける。
【０１５４】
ファイバカバー１４の取り付け手順について、図２４Ａを用いて説明する。図２４Ａは可動式パッチパネル１３の背面斜視図であり、ファイバカバー１４の取り付け前の状態を示す。可動式パッチパネル１３の受け棚１３３は省略して図示している。内線(第１の)光ファイバケーブル５０の束は図示を省略しているが、内線光コネクタ５０１は一部のみ図示している。
【０１５５】
可動式パッチパネル１３は、ガイド付き開口１８及びラッチ孔１３６を有している。ファイバカバー１４は、位置決め突起１４１及びナイラッチ(登録商標)１４２を有している。図２４Ａに示す様に、可動式パッチパネル１３に設けられたガイド付き開口１８に、ファイバカバー１４の位置決め突起１４１を挿入する。挿入後、ナイラッチ１４２を可動式パッチパネル１３のラッチ孔１３６に嵌め込み固定することでファイバカバー１４を容易に取り付けできる。
【０１５６】
ナイラッチ１４２は可動式パッチパネル１３の前面側(第１側)の端部に固定することが望ましい。図２３に示されている通り、可動式パッチパネル１３を最大限に引出してもファイバカバー１４はシェルフ(ケース)１１から完全に露出しないため、背面側(第２側)の端部にナイラッチ１４２が実装されると作業性が大きく損なわれる。
【０１５７】
図２４Ｂを使用して、ガイド付き開口１８部についてより詳細に説明する。図２４Ｂはガイド付き開口１８周辺の背面斜視図である。
【０１５８】
ガイド付き開口１８はガイド１８１を備える。ガイド付き開口１８の幅Ｇは位置決め突起１４１の幅Ｈより十分に広く、また、位置決め突起１４１の上下角は面取りしてあるため、容易に位置決め突起１４１をガイド付き開口１８に挿入することができる。また、完全に挿入すると、図２４Ｂに示す様に、ガイド１８１により位置決め突起１４１の幅方向の位置は決定され、さらに高さ方向についても位置決め突起１４１の面取りの無い部分の上下方向の寸法はガイド付き開口１８の上下方向の寸法よりわずかに小さい寸法関係となっている為、高さ方向の位置も決定できる。
【０１５９】
以上、ファイバカバー１４について内線(第１の)光ファイバケーブル５０側を例に説明したが、外線(第２の)光ファイバケーブル６０側にも同様のファイバカバー１４が実装される。外線(第２の)光ファイバケーブル６０側にファイバカバー１４を取り付ける際には、可動式パッチパネル１３は背面側(第２側)に引き出された状態で作業を行うため、外線(第２の)光ファイバケーブル６０側のファイバカバー１４のナイラッチ１４２固定位置は、可動式パッチパネル１３の背面側(第２側)の端部となる。なお、他の可動式パッチパネル８０,８１,８２についても同様にファイバカバー１４が実装される。
【符号の説明】
【０１６０】
１…ケース、２−ａ〜ｄ…可動式パッチパネル部、３−ａ１〜ｄ１…第１の光ファイバケーブル差し込み部、３−ａ２〜ｄ２…第２の光ファイバケーブル差し込み部、４−ａ〜ｄ…余長収容手段，ケーブルガイド、４−ａ１〜ｄ１…第１のケーブルガイド、４−ａ２〜ｄ２…第２のケーブルガイド、５…ケース、１０…光配線ユニット、１１…シェルフ(ケース)、１２…スライドレール、１３，８０，８１，８２…可動式パッチパネル、１４…ファイバカバー、１５…前面用(第１の)ケーブルガイド、１６…背面用(第２の)ケーブルガイド、１７…ロック付きハンドル、１８…ガイド付き開口、２０…架、２１…前面用配線トレイ、２２…背面用配線トレイ、２３…受け棚、３０…光信号処理ユニット、４０…光コネクタアダプタ、５０…内線(第１の)光ファイバケーブル、６０…外線(第２の)光ファイバケーブル
【図１】
2015215386.tif 000003
【図２Ａ】
2015215386.tif 000004
【図２Ｂ】
2015215386.tif 000005
【図３Ａ】
2015215386.tif 000006
【図３Ｂ】
2015215386.tif 000007
【図３Ｃ】
2015215386.tif 000008
【図３Ｄ】
2015215386.tif 000009
【図４Ａ】
2015215386.tif 000010
【図４Ｂ】
2015215386.tif 000011
【図４Ｃ】
2015215386.tif 000012
【図４Ｄ】
2015215386.tif 000013
【図４Ｅ】
2015215386.tif 000014
【図５】
2015215386.tif 000015
【図６Ａ】
2015215386.tif 000016
【図６Ｂ】
2015215386.tif 000017
【図７】
2015215386.tif 000018
【図８】
2015215386.tif 000019
【図９】
2015215386.tif 000020
【図１０】
2015215386.tif 000021
【図１１Ａ】
2015215386.tif 000022
【図１１Ｂ】
2015215386.tif 000023
【図１２Ａ】
2015215386.tif 000024
【図１２Ｂ】
2015215386.tif 000025
【図１３】
2015215386.tif 000026
【図１４】
2015215386.tif 000027
【図１５Ａ】
2015215386.tif 000028
【図１５Ｂ】
2015215386.tif 000029
【図１６】
2015215386.tif 000030
【図１７Ａ】
2015215386.tif 000031
【図１７Ｂ】
2015215386.tif 000032
【図１７Ｃ】
2015215386.tif 000033
【図１８】
2015215386.tif 000034
【図１９Ａ】
2015215386.tif 000035
【図１９Ｂ】
2015215386.tif 000036
【図１９Ｃ】
2015215386.tif 000037
【図１９Ｄ】
2015215386.tif 000038
【図１９Ｅ】
2015215386.tif 000039
【図２０Ａ】
2015215386.tif 000040
【図２０Ｂ】
2015215386.tif 000041
【図２１Ａ】
2015215386.tif 000042
【図２１Ｂ】
2015215386.tif 000043
【図２１Ｃ】
2015215386.tif 000044
【図２１Ｄ】
2015215386.tif 000045
【図２１Ｅ】
2015215386.tif 000046
【図２２】
2015215386.tif 000047
【図２３】
2015215386.tif 000048
【図２４Ａ】
2015215386.tif 000049
【図２４Ｂ】
2015215386.tif 000050
【図２５】
2015215386.tif 000051